(57)【要約】  本発明は、キャリアと粒子状固体とを含むトラクション駆動流体を記載する。キャリアは、１気圧下で測定した沸点が少なくとも約１００℃より高く、１気圧下で測定した融点が約１０℃より低い。粒子状固体は、複数の薄片からなる。薄片は、キャリア中に均一に分布している。【選択図】  図４
2018534412.tif 000002
【特許請求の範囲】
【請求項１】
１気圧下で測定した沸点が少なくとも約１００℃であり、１気圧下で測定した融点が約１０℃より低いキャリアと、
複数の薄片からなる粒子状固体とを含むトラクション駆動流体であって、
前記薄片は、前記キャリア中に均一に分布している、トラクション駆動流体。
【請求項２】
前記キャリアは、１気圧下で測定した沸点が少なくとも約２００℃である、請求項１に記載のトラクション駆動流体。
【請求項３】
腐食防止剤、抗菌剤、酸化防止剤、摩耗防止剤、流動点降下剤、金属不活性化剤、極圧添加剤、消泡剤、摩擦調整剤、および粘度指数向上剤のうちの１つ以上をさらに含む、請求項１または２に記載のトラクション駆動流体。
【請求項４】
前記薄片を前記キャリア中に分散させるための分散剤をさらに含む、請求項１〜３のいずれか一項に記載のトラクション駆動流体。
【請求項５】
前記分散剤は、ポリエーテル、ポリエーテルアミン、エトキシ化ビスフェノールＡ、エトキシ化アクリレート、ポロキサマー、ポリアルキレングリコール、またはこれらのうちいずれか２種以上の混合物である、請求項４に記載のトラクション駆動流体。
【請求項６】
前記薄片は、厚さではない最小寸法の平均厚さに対する比として定義される平均アスペクト比が少なくとも約２０である、請求項１〜５のいずれか一項に記載のトラクション駆動流体。
【請求項７】
前記薄片は、平均厚さが約５０ｎｍ未満である、請求項１〜６のいずれか一項に記載のトラクション駆動流体。
【請求項８】
前記薄片は、グラフェンを含む、請求項１〜７のいずれか一項に記載のトラクション駆動流体。
【請求項９】
前記トラクション駆動流体における前記粒子状固体の割合が、約０．０５％ｗ／ｗ〜約１０％ｗ／ｗである、請求項１〜８のいずれか一項に記載のトラクション駆動流体。
【請求項１０】
前記トラクション駆動流体は、接触圧力０．８ＧＰａ、速度１００ｍｍｓ-1、滑り／転がり比１０％で測定したトラクション係数が２５℃で約０．０５よりも大きい、請求項１〜９のいずれか一項に記載のトラクション駆動流体。
【請求項１１】
前記トラクション駆動流体は、ＡＳＴＭ  Ｄ  ９７−１６に準じて測定した流動点が約１０℃未満である、請求項１〜１０のいずれか一項に記載のトラクション駆動流体。
【請求項１２】
駆動素子から被駆動素子へトルクを伝達するための方法であって、前記駆動素子と前記被駆動素子との間にトラクション駆動流体を配置することと、前記駆動素子を回転させることとを含み、
前記駆動素子の回転によって前記被駆動素子の回転が生じ、
前記トラクション駆動流体は、
１気圧下で測定した沸点が約１００℃より高く、１気圧下で測定した融点が約１０℃より低いキャリアと、
複数の薄片からなる粒子状固体とを含み、
前記薄片は、前記キャリア中に均一に分布している、方法。
【請求項１３】
トラクション駆動装置の製造または運転におけるトラクション駆動流体の使用であって、
前記トラクション駆動流体は、
１気圧下で測定した沸点が約１００℃より高く、１気圧下で測定した融点が約１０℃より低いキャリアと、
複数の薄片からなる粒子状固体とを含み、
前記薄片は、前記キャリア中に均一に分布している、使用。
【請求項１４】
駆動素子と、
被駆動素子と、
トラクション駆動流体と、
を含むトラクション駆動装置であって、
前記トラクション駆動流体は、前記駆動素子と前記被駆動素子との間に配置され、
前記トラクション駆動流体は、
１気圧下で測定した沸点が約１００℃より高く、１気圧下で測定した融点が約１０℃より低いキャリアと、
複数の薄片からなる粒子状固体とを含み、
前記薄片は、前記キャリア中に均一に分布している、トラクション駆動装置。
【発明の詳細な説明】
【技術分野】
【０００１】
本発明は、トラクション駆動流体に関する。
【相互参照】
【０００２】
本発明は、オーストラリア仮特許出願第２０１５９０４２１７号、２０１５９０４２２０号、２０１５９０４２２１号、および２０１５９０４２１８号に基づく優先権を主張し、これら仮特許出願の全ての内容の全体が引用により本明細書に組み込まれる。
【背景技術】
【０００３】
現在のトラクション流体は、多環式の分岐脂肪族有機物を含んでおり、この有機物によってこれら流体に高いトラクション係数が付与される。これら流体中の上記材料の分子構造により、トラクション駆動装置の接触領域に形成される薄膜において非常に高い圧力が加わった際に、粘度の大きな増加がもたらされる。粘度の増加は、１０9倍を超えることもあるが、これは温度に依存する。したがって、これら流体の有効性は、温度によって異なる。潤滑膜は、弾性流体的挙動を示し、駆動素子から被駆動素子へのトルクの伝達を可能にする。現在のトラクション駆動流体の最大トラクション係数は、通常、およそ０．１０〜０．１２である。すなわち、システム中で得られるトルクの約９０％までが、このような流体によっては伝達されない。
【０００４】
従来のトラクション流体に代わる実現可能な手段であり、圧力／粘度関係の温度依存性が低減された材料の開発が要求されている。また、特に接触圧力を低くした場合に、より高いトラクション係数を示すトラクション駆動流体の開発が要求されている。
【０００５】
本発明の目的は、上記の要求のうち少なくとも１つを少なくとも部分的に満たすことである。
【発明の概要】
【０００６】
本発明の第１の態様では、１気圧下で測定した沸点が少なくとも約１００℃であり、１気圧下で測定した融点が約１０℃より低いキャリアと、複数の薄片からなる粒子状固体とを含むトラクション駆動流体であって、前記薄片は、前記キャリア中に均一に分布しているトラクション駆動流体が提供される。
【０００７】
以下の選択肢が、個別にまたは任意の好適な組み合わせで、第１の態様と併用できる。
【０００８】
キャリアは、１気圧下で測定した沸点が少なくとも約２００℃であってもよい。
【０００９】
トラクション駆動流体は、腐食防止剤、抗菌剤、酸化防止剤、摩耗防止剤、流動点降下剤、金属不活性化剤、極圧添加剤、消泡剤、摩擦調整剤、および粘度指数向上剤のうちの１つ以上をさらに含んでもよい。トラクション駆動流体は、薄片をキャリア中に分散させるための分散剤をさらに含んでもよい。分散剤は、ポリエーテル、ポリエーテルアミン、エトキシ化ビスフェノールＡ、エトキシ化アクリレート、ポロキサマー、ポリアルキレングリコール、またはこれらのうちいずれか２種以上の混合物であってもよい。
【００１０】
薄片は、平均アスペクト比が少なくとも約２０であってもよい。このアスペクト比は、厚さではない最小寸法の平均厚さに対する比として定義され得る。薄片は、平均厚さが約５０ｎｍ未満であってもよい。薄片は、例えばグラフェンを含んでもよい。
【００１１】
トラクション駆動流体における粒子状固体の割合は、約０．０５％ｗ／ｗ〜約１０％ｗ／ｗであってもよい。トラクション駆動流体は、接触圧力０．８ＧＰａ、速度１００ｍｍｓ-1、滑り／転がり比（slide to roll ratio）１０％で測定したトラクション係数が２５℃で約０．０５より大きくてもよい。トラクション駆動流体は、流動点が約１０℃未満であってもよい。流動点は、ＡＳＴＭ  Ｄ  ９７−１６に準じて測定され得る。
【００１２】
一実施形態では、１気圧下で測定した沸点が約１００℃より高く、１気圧下で測定した融点が約１０℃より低いキャリアと、分散剤と、複数の薄片からなる粒子状固体とを含むトラクション駆動流体であって、前記薄片の平均アスペクト比が少なくとも約２０であり、前記薄片が前記キャリア中に均一に分布しており、前記トラクション駆動流体における前記粒子状固体の割合が約０．０５％ｗ／ｗ〜約１０％ｗ／ｗである、トラクション駆動流体が提供される。
本発明の第２の態様では、駆動素子から被駆動素子へトルクを伝達するための方法であって、前記駆動素子と前記被駆動素子との間にトラクション駆動流体を配置することと、前記駆動素子を回転させることとを含み、前記駆動素子の回転によって前記被駆動素子の回転が生じ、前記トラクション駆動流体は、１気圧下で測定した沸点が約１００℃より高く、１気圧下で測定した融点が約１０℃より低いキャリアと、複数の薄片からなる粒子状固体とを含み、前記薄片は、前記キャリア中に均一に分布している、方法が提供される。
【００１３】
第２の態様に係る方法は、第１の態様に係るトラクション駆動流体を使用してもよい。第１の態様に係るトラクション駆動流体は、第２の態様に係る方法に使用されてもよい。
【００１４】
本発明の第３の態様では、トラクション駆動装置の製造または運転におけるトラクション駆動流体の使用であって、前記トラクション駆動流体は、１気圧下で測定した沸点が約１００℃より高く、１気圧下で測定した融点が約１０℃より低いキャリアと、複数の薄片からなる粒子状固体とを含み、前記薄片は、前記キャリア中に均一に分布している、使用が提供される。
【００１５】
本発明の第４の態様では、駆動素子と、被駆動素子と、トラクション駆動流体とを含むトラクション駆動装置であって、前記トラクション駆動流体は、前記駆動素子と前記被駆動素子との間に配置され、前記トラクション駆動流体は、１気圧下で測定した沸点が約１００℃より高く、１気圧下で測定した融点が約１０℃より低いキャリアと、複数の薄片からなる粒子状固体とを含み、前記薄片は、前記キャリア中に均一に分布している、トラクション駆動装置が提供される。
【００１６】
第４の態様に係るトラクション駆動装置は、第２の態様に係る方法を用いて製造または運転されてもよい。第２の態様に係る方法は、第４の態様に係るトラクション駆動装置を製造または運転するために使用されてもよい。
【００１７】
第４の態様に係るトラクション駆動装置は、第１の態様に係るトラクション駆動流体を使用して製造または運転されてもよい。第１の態様に係るトラクション駆動流体は、第４の態様に係るトラクション駆動装置を製造または運転するために使用されてもよい。
【図面の簡単な説明】
【００１８】
【図１】図１は、薄片の一例を示す図である。
【図２】図２は、自動車用無段変速機のトラクション駆動部品の一例である。
【図３】図３は、運転中のトラクション係数を測定するための装置の一例の概略図であり、ポット３３０中で０．５インチのボール３００が回転ディスク３２０に接して回転し、液状トラクション駆動流体サンプル３１０がボール３００および回転ディスク３２０の表面を潤滑し、液状トラクション駆動流体サンプル３１０のトラクション係数が、さまざまなサンプル温度、滑り／転がり比、速度、接触圧力で測定され得る。
【図４】図４は、水系グラフェントラクション流体配合物に関して、広い滑り／転がり比範囲にわたって観測したトラクション係数を示す図であり、条件は、負荷４５Ｎ（圧力０．８ＧＰａ）、速度２００ｍｍ／ｓ、温度２５℃であった。
【図５】図５は、水性キャリア流体系配合物のトラクション係数を速度の関数として示す図であり、印加負荷は５Ｎであり、流体の温度は２５℃で一定に保った。
【図６】図６は、水性キャリア流体系配合物のトラクション係数を負荷の関数として示す図であり、速度は１００ｍｍ／ｓであり、流体の温度は２５℃で一定に保った。
【図７】図７は、水性キャリア流体系配合物のトラクション係数を温度の関数として示す図であり、用いた速度は１００ｍｍ／ｓであり、印加負荷は５Ｎであった。
【図８】図８は、テトラエチレングリコール系グラフェントラクション流体配合物に関して、広い滑り／転がり比範囲にわたって観測したトラクション係数を示す図であり、条件は、負荷４５Ｎ（圧力０．８ＧＰａ）、速度２００ｍｍ／ｓ、温度２５℃であった。
【図９】図９は、ＴＥＧ／ＰＧキャリア流体系配合物のトラクション係数を温度の関数として示す図であり、用いた速度は２００ｍｍ／ｓであり、印加負荷は４５Ｎであった。
【図１０】図１０は、水／エチレングリコール混合物系ＭｏＳ2トラクション流体配合物に関して、広い滑り／転がり比範囲にわたって観測したトラクション係数を示す図であり、条件は、負荷１０Ｎ、速度１００ｍｍ／ｓ、温度２５℃であった。
【発明を実施するための形態】
【００１９】
本明細書では、以下の定義および記載が適用される。
【００２０】
「含む」：この用語および関連する用語は、記載された要素（または複数の要素）が存在していることを意味するが、記載されていない他の要素が存在する可能性も許容する。この用語は、記載された要素の具体的な割合については何ら含意しない。
【００２１】
「実質的に・・・からなる」：この用語および関連する用語は、記載された要素（または複数の要素）が存在する成分の大部分を占めることを意味し、存在する他のあらゆる要素は意図的に存在させたものではないことを意味する。
【００２２】
本明細書では、キャリアと粒子状固体とを含むトラクション駆動流体が開示される。キャリアは、１気圧下で測定した沸点が約１００℃より高く、１気圧下で測定した融点が約１０℃より低い。粒子状固体は、複数の薄片からなる。薄片は、キャリア中に均一に分布している。
【００２３】
薄片は、実質的に二次元の材料であってもよい。ここで、二次元とは、平均厚さ寸法よりも少なくとも２０倍大きい厚さではない寸法を有することを意味する。これら材料の形状は、例えばトラクション駆動装置などの回転伝達装置における弾性流体的接触に影響する可能性があり、それにより、駆動素子と被駆動素子との間の接触領域において渋滞作用が生じ得る。ここで、「弾性流体的」とは、液体の弾性特性が、回転装置の接触領域における高圧力下での液体の膜形成挙動に影響することを意味する。ここで、「渋滞」とは、使用時の接触領域における層状材料の局所的な集中、濃度の増加、または堆積を意味する。これにより、トラクション駆動流体のトラクション係数が向上し、その結果、例えばトラクション駆動装置内でのトルク伝達が改善され得る。薄片の選択は、トラクション駆動流体のトラクション特性に影響し得る。薄片は、プレートレット状材料であってもよい。プレートレット状材料は、例えば、グラフェン、グラファン、酸化グラフェン、ゲルマネン、シリセン、ホスホレン、モリブデナイト、窒化ボロン、ゲルマナン、二硫化モリブデン、二セレン化タングステン、剥離タルク、ＭＸｅｎｅ（二次元金属炭化物、金属窒化物、または金属炭窒化物）、または遷移金属ジカルコゲナイドであってもよく、または、これらのうちいずれか２種以上の混合物であってもよい。
【００２４】
薄片の大きさおよび形状は、トラクション駆動流体のトラクション特性に影響し得る。薄片の平均アスペクト比は、少なくとも約２０であってもよく、または約５０、１００、２００、５００、１０００、２０００、５０００、１０4、または１０5であってもよい。平均アスペクト比は、約２０〜約１０6であってもよく、または約１０2〜１０6、１０3〜１０6、１０4〜１０6、１０5〜１０6、２０〜１０5、２０〜１０4、２０〜１０3、２０〜１０2、１０2〜１０3、１０3〜１０4、または１０4〜１０5であってもよい。平均アスペクト比は、例えば、約２０、３０、４０、５０、１００、２００、５００、１０3、５×１０3、１０4、５×１０4、１０5、５×１０5、または１０6であってもよい。アスペクト比は、厚さではない最小寸法の平均厚さに対する比として定義され得る。この物質は、形状が不均一であってもよいが、概して、その平均厚さよりも少なくとも２０倍大きい厚さではない寸法を有し得る。図１は、薄片物質のアスペクト比の測定の仕方の概略を示している。オフセット図において、Ｂは、図示した厚さ寸法に沿って測定した平均厚さである。上面図（オフセット図に示した上面を真上から見下ろした図に対応）において、寸法Ａは、厚さではない寸法の最小幅であり、厚さ方向ではない方向に延びる面内における当該面の幾何学的中点（上面図において点で示す）を通る最小幅である。この薄片物質のアスペクト比は、Ａ／Ｂとして算出し得る。
【００２５】
薄片の平均厚さは、約５０ｎｍ未満であってもよく、または、約２０ｎｍ、１０ｎｍ、５ｎｍ、２ｎｍ、または１ｎｍ未満であってもよい。平均厚さは、約０．５ｎｍ〜約５０ｎｍであってもよく、または約１〜５０ｎｍ、２〜５０ｎｍ、５〜５０ｎｍ、１０〜５０ｎｍ、２０〜５０ｎｍ、０．５〜２０ｎｍ、０．５〜１０ｎｍ、０．５〜５ｎｍ、０．５〜２ｎｍ、２〜５ｎｍ、５〜１０ｎｍ、または１０〜２０ｎｍであってもよい。平均厚さは、例えば、約０．５ｎｍ、１ｎｍ、２ｎｍ、５ｎｍ、１０ｎｍ、２０ｎｍ、または５０ｎｍであってもよい。薄片は、層状材料の複数のシートから形成された粒子を含んでもよい。粒子のそれぞれにおける個別のシートの数の平均は、１シートであってもよく、または約１シートより多くてもよく、または、約２シート、３シート、４シート、５シート、６シート、７シート、８シート、９シート、１０シート、１５シート、２０シート、または５０シートであってもよい。シートの数の平均は、約１シート〜約１００シートであってもよく、または約１〜５０シート、１〜２０シート、１〜１０シート、１〜５シート、５〜１０シート、５〜１００シート、１０〜１００シート、２０〜１００シート、５０〜１００シート、５〜１０シート、１０〜２０シート、または２０〜５０シートであってもよい。シートの数の平均は、例えば、約１シート、２シート、３シート、４シート、５シート、６シート、７シート、８シート、９シート、１０シート、１５シート、２０シート、２５シート、３０シート、４０シート、５０シート、６０シート、７０シート、８０シート、９０シート、または１００シートであってもよい。
【００２６】
薄片の厚さではない最小寸法の平均値は、約２０００μｍ未満であってもよく、または約１０００μｍ、５００μｍ、２００μｍ、１００μｍ、５０μｍ、２０μｍ、１０μｍ、５μｍ、２μｍ、１μｍ、０．５μｍ、０．２μｍ、または０．１μｍ未満であってもよい。厚さではない最小寸法の平均値は、約０．０１μｍ〜約２０００μｍであってもよく、または約０．０１〜１０００μｍ、０．０１〜１００μｍ、０．０１〜１０μｍ、０．０１〜１μｍ、０．０１〜０．１μｍ、０．１〜２０００μｍ、１〜２０００μｍ、１０〜２０００μｍ、１００〜２０００μｍ、１０００〜２０００μｍ、０．１〜１μｍ、１〜１０μｍ、１０〜１００μｍ、１００〜１０００μｍ、または１〜１００μｍであってもよい。厚さではない最小寸法の平均値は、例えば、約０．０１μｍ、０．０２μｍ、０．０５μｍ、０．１μｍ、０．２μｍ、０．５μｍ、１μｍ、２μｍ、５μｍ、１０μｍ、２０μｍ、５０μｍ、１００μｍ、２００μｍ、５００μｍ、１０００μｍ、または２０００μｍであってもよい。
【００２７】
キャリアの選択は、トラクション駆動流体の所望の粘度に基づいて行ってもよい。キャリアの選択は、トラクション駆動流体に接触する表面の材料との所望の適合性に基づいて行ってもよい。キャリアの選択は、トラクション駆動流体の所望の液体状態温度範囲に基づいて行ってもよい。キャリアは、高温下で所望の粘度およびトラクション係数を維持可能であり得る。キャリアは、高圧下で所望の粘度およびトラクション係数を維持可能であり得る。キャリアの沸点は、１気圧下で測定した場合、少なくとも約１００℃であってもよく、また、キャリアの沸点は、１気圧下で測定した場合、少なくとも約１１０℃、１２０℃、１５０℃、２００℃、２１０℃、２２０℃、２５０℃、または３００℃であってもよい。キャリアの沸点は、１気圧下で測定した場合、約１００℃〜約５００℃であってもよく、または、１気圧下で測定した場合、約１５０〜５００℃、２００〜５００℃、３００〜５００℃、１００〜２００℃、１００〜３００℃、１００〜４００℃、２００〜３００℃、または３００〜４００℃であってもよい。キャリアの沸点は、例えば、１気圧下で測定した場合、約１００℃、１５０℃、２００℃、２５０℃、３００℃、３５０℃、４００℃、４５０℃、または５００℃であってもよい。
【００２８】
キャリアの分解温度は、１気圧下で測定した場合、約１５０℃より高くてもよく、または、１気圧下で測定したした場合、約２００℃、３００℃、４００℃、５００℃、又は６０℃より高くてもよい。キャリアの分解温度は、１気圧下で測定した場合、約２００℃〜約１０００℃であってもよく、または、１気圧下で測定した場合、約４００〜１０００℃、６００〜１０００℃、８００〜１０００℃、２００〜４００℃、２００〜６００℃、２００〜８００℃、４００〜６００℃、または６００〜８００℃であってもよい。キャリアの分解温度は、例えば、１気圧下で測定した場合、約２００℃、２５０℃、３００℃、３５０℃、４００℃、４５０℃、５００℃、５５０℃、６００℃、６５０℃、７００℃、７５０℃、８００℃、８５０℃、９００℃、９５０℃、または１０００℃であってもよい。
【００２９】
キャリアの融点は、１気圧下で測定した場合、約１０℃より低くてもよく、または、１気圧下で測定した場合、約５℃、０℃、−５℃、−１０℃、または−２０℃より低くてもよい。キャリアの融点は、１気圧下で測定した場合、約−１００℃〜約１０℃であってもよく、または、１気圧下で測定した場合、約−１００〜１０℃、−８０〜１０℃、−５０〜１０℃、−２０〜１０℃、０〜１０、−１００〜０℃、−１００〜−２０℃、−１００〜−５０℃、−５０〜−２０℃、−２０〜−１０℃、または−１０〜０℃であってもよい。キャリアの融点は、例えば、１気圧下で測定した場合、約−１００℃、−５０℃、−２０℃、−１５℃、−１０℃、５℃、０℃、５℃、または１０℃であってもよい。
【００３０】
キャリアの流動点（例えばＡＳＴＭ  Ｄ  ９７−１６を用いて測定した場合）は、約１０℃より低くてもよく、または、約０℃、−１０℃、−２０℃、−５０℃、または−１００℃より低くてもよい。キャリアの流動点は、約−２００℃〜約１０℃であってもよく、または約−１５０〜１０℃、−１００〜１０℃、−５０〜１０℃、−２０〜１０℃、０〜１０℃、−２００〜０℃、−２００〜−２０℃、−２００〜−５０℃、−２００〜−１００℃、−２００〜−１５０℃、または−１００〜０℃であってもよい。キャリアの流動点は、例えば、約−２００℃、−１５０℃、−１００℃、−５０℃、−２０℃、−１０℃、０℃、または１０℃であってもよい。
【００３１】
キャリアは、トラクション駆動流体中に、約５０％ｗ／ｗより高い濃度で存在してもよく、キャリアの濃度は、約６０％ｗ／ｗ、７０％ｗ／ｗ、８０％ｗ／ｗ、９０％ｗ／ｗ、または９５％ｗ／ｗより高くてもよい。キャリアの濃度は、約５０％ｗ／ｗ〜約９９．５％ｗ／ｗであってもよく、または、約６０〜９９．５％ｗ／ｗ、７０〜９９．５％ｗ／ｗ、８０〜９９．５％ｗ／ｗ、９０〜９９．５％ｗ／ｗ、９５〜９９．５％ｗ／ｗ、５０〜６０％ｗ／ｗ、５０〜７０％ｗ／ｗ、５０〜８０％ｗ／ｗ、５０〜９０％ｗ／ｗ、６０〜８０％ｗ／ｗ、または８０〜９０％ｗ／ｗであってもよい。キャリアの濃度は、例えば、約５０％ｗ／ｗ、５５％ｗ／ｗ、６０％ｗ／ｗ、６５％ｗ／ｗ、７０％ｗ／ｗ、７５％ｗ／ｗ、８０％ｗ／ｗ、８５％ｗ／ｗ、９０％ｗ／ｗ、９５％ｗ／ｗ、９７％ｗ／ｗ、９９％ｗ／ｗ、または９９．５％ｗ／ｗであってもよい。
【００３２】
キャリアは、トラクション駆動流体に、所望の粘度分布、安定性、流動点、液相温度範囲、および他のさまざまな流体力学的性質を付与するように作用し得る。キャリアは、基流体（base fluid）を含んでもよい。キャリアは、基油（base oil）を含んでもよい。キャリアは、極性溶媒を含んでもよい。キャリアは、双極性非プロトン溶媒を含んでもよい。キャリアは、脂肪族成分、多環式成分、芳香族成分、ポリマー成分、オリゴマー成分、水性成分、またはこれらのうちいずれか２種以上の混合物を含んでもよい。キャリアは、アミド、アルコール、アミン、エーテル、エステル、またはこれらのうちいずれか２種以上の混合物を含んでもよい。キャリアは、アルキレングレコール、アルキレングリコールオリゴマー、アルキレングリコールポリマー、またはこれらのうちいずれか２種以上の混合物を含んでもよい。キャリアは、可塑剤、鉱油、合成油、シロキサン、またはこれらのうちいずれか２種以上の混合物を含んでもよい。キャリアは、多環式の分岐脂肪族有機物を含んでもよい。キャリアは、水を含んでもよい。キャリアは、有機成分を含まなくてもよい。キャリアは、水性であってもよい。キャリアは、例えば、エチレングリコール、プロピレングリコール、ジエチレレングリコール、ジプロピレングリコール、トリエチレングリコール、トリプロピレングリコール、テトラエチレングリコール、テトラプロピレングリコール、ポリジメチルシロキサン、他の何らかの好適なキャリア、またはこれらのうちいずれか２種以上の混合物を含んでもよい。
【００３３】
トラクション駆動流体は、腐食防止剤、抗菌剤、酸化防止剤、摩耗防止剤、流動点降下剤、金属不活性化剤、極圧添加剤、消泡剤、摩擦調整剤、および粘度指数向上剤のうちの１つ以上をさらに含んでもよい。トラクション駆動流体は、薄片をキャリア中に分散させるための分散剤をさらに含んでもよい。トラクション駆動流体中の成分は、１つより多くの機能を果たしてもよい。例えば、分散剤は、消泡剤としても作用してもよい。
【００３４】
腐食防止剤
腐食防止剤は、トラクション駆動流体に接触する物質の腐食率を低下させるように作用し得る。腐食防止剤は、トラクション駆動流体に接触する金属の錆の形成率を低下させるように作用し得る。腐食防止剤は、トラクション駆動流体に接触する物質、特に金属の腐食率を、腐食防止剤を含まないトラクション駆動流体の場合と比べて低下させるように作用し得る。腐食防止剤は、酸化防止剤であってもよい。腐食防止剤は、物質の表面をコーティングおよび／または不動態化して物質の腐食率を低下させるように作用し得る。腐食防止剤は、例えば、ポリホスフェート、ベンゾトリアゾール誘導体、リン酸二カリウム、有機酸、有機二酸、有機エステル、有機ジエステル、シリケート、ケイ酸誘導体、ホウ酸エステル、他の何らかの好適な腐食防止剤、またはこれらのうちいずれか２種以上の混合物であってもよい。腐食防止剤の選択は、トラクション駆動流体に接触する物質の種類に基づいて行ってもよい。トラクション駆動流体に接触する物質は、例えば、鋼などの各種金属のいずれかであってもよく、セラミック、ゴム、プラスチック、他の何らかの好適な物質、またはこれらのうちいずれか２種以上の混合物であってもよい。トラクション駆動流体に接触する物質は、例えば、ダイヤモンド状炭素や有機物などのコーティング物質、他の何らかの好適なコーティング物質、またはこれらコーティング物質のいずれか２種以上の混合物であってもよい。
【００３５】
腐食防止剤は、トラクション駆動流体中に、約５％ｗ／ｗより低い濃度で存在してもよく、腐食防止剤の濃度は、約２％ｗ／ｗ、１％ｗ／ｗ、または０．５％ｗ／ｗより低くてもよい。腐食防止剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。腐食防止剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００３６】
抗菌剤
抗菌剤は、トラクション駆動流体で生じる微生物増殖を低減または防止するように作用し得る。抗菌剤は、トラクション駆動流体で生じる微生物増殖を阻害するように作用し得る。抗菌剤は、トラクション駆動流体での微生物増殖を低減することによってトラクション駆動流体の長期安定性を向上させるように作用し得る。抗菌剤は、抗真菌剤であってもよい。抗菌剤は、抗バクテリア剤であってもよい。抗菌剤は、有機酸、重炭酸ナトリウム、トリアジン、塩化ベンザルコニウム、他の何らかの好適な抗菌剤、またはこれらのうちいずれか２種以上の混合物であってもよい。
【００３７】
抗菌剤は、トラクション駆動流体中に、約５％ｗ／ｗより低い濃度で存在してもよく、抗菌剤の濃度は、約２％ｗ／ｗ、１％ｗ／ｗ、または０．５％ｗ／ｗより低くてもよい。抗菌剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。抗菌剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００３８】
酸化防止剤
酸化防止剤は、トラクション駆動流体で生じる酸化の速度を低減するように作用し得る。酸化防止剤は、トラクション駆動流体で生じる酸化を阻害するように作用し得る。酸化防止剤は、トラクション駆動流体での酸化を低減することによってトラクション駆動流体の長期安定性を向上させるように作用し得る。酸化防止剤は、腐食防止剤としても作用し得る。酸化防止剤は、トラクション駆動流体内でラジカルを分解するように作用し得る。酸化防止剤は、トラクション駆動流体内で、遊離ラジカルと反応して非反応性種を生成するように作用し得る。酸化防止剤は、ヒンダードフェノール、ヒンダードアミン、二級アリールアミン、ホスファイト、ニトライト、チオエステル、他の何らかの好適な酸化防止剤、またはこれらのうちいずれか２種以上の混合物であってもよい。
【００３９】
酸化防止剤は、トラクション駆動流体中に、約５％ｗ／ｗより低い濃度で存在してもよく、酸化防止剤の濃度は、約２％ｗ／ｗ、１％ｗ／ｗ、または０．５％ｗ／ｗより低くてもよい。酸化防止剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。酸化防止剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００４０】
摩耗防止剤
摩耗防止剤は、トラクション駆動流体に接触する物質の表面をコーティングして、該表面を摩耗させる可能性のある何らかの物質と該表面が接触するのを防止するように作用し得る。摩耗防止剤は、ポリホスフェートであってもよい。摩耗防止剤は、チオホスフェートであってもよい。摩耗防止剤は、例えば、ジアルキルジチオリン酸亜鉛、ジチオリン酸亜鉛、他の何らかの好適な摩耗防止剤、またはこれらのうちいずれか２種以上の混合物であってもよい。
【００４１】
摩耗防止剤は、トラクション駆動流体中に、約５％ｗ／ｗより低い濃度で存在してもよく、摩耗防止剤の濃度は、約２％ｗ／ｗ、１％ｗ／ｗ、または０．５％ｗ／ｗより低くてもよい。摩耗防止剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。摩耗防止剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００４２】
粘度指数向上剤
粘度指数向上剤は、トラクション駆動流体の高温での粘度を向上させるように作用し得る。粘度指数向上剤は、分散剤であってもよい。粘度指数向上剤は、キャリアの成分であってもよく、キャリアとは別に存在してもよい。粘度指数向上剤は、ポリマーであってもよい。粘度指数向上剤は、オリゴマーであってもよい。粘度指数向上剤は、例えば、ポリイソブチレン、ポリ（メタ）アクリレート、オレフィン共重合体、スチレン‐無水マレイン酸エステル共重合体、水素化スチレン‐ジエン共重合体、水素化ラジアルポリイソプレン重合体、ポロキサマー、ポリアルキレングリコール、他の何らかの好適な粘度指数向上剤、またはこれらのうちいずれか２種以上の混合物であってもよい。
【００４３】
粘度指数向上剤は、トラクション駆動流体中に、約２０％ｗ／ｗより低い濃度で存在してもよく、粘度指数向上剤の濃度は、約１０％ｗ／ｗ、５％ｗ／ｗ、２％ｗ／ｗ、１％ｗ／ｗ、または０．５％ｗ／ｗより低くてもよい。粘度指数向上剤の濃度は、約０％ｗ／ｗ〜約２０％ｗ／ｗであってもよく、または、約０〜０．５％ｗ／ｗ、０〜１％ｗ／ｗ、０〜２％ｗ／ｗ、０〜５％ｗ／ｗ、０〜１０％ｗ／ｗ、０．５〜２０％ｗ／ｗ、１〜２０％ｗ／ｗ、２〜２０％ｗ／ｗ、５〜２０％ｗ／ｗ、１０〜２０％ｗ／ｗ、０．５〜１％ｗ／ｗ、１〜２％ｗ／ｗ、２〜５％ｗ／ｗ、または５〜１０％ｗ／ｗであってもよい。粘度指数向上剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、５％ｗ／ｗ、１０％ｗ／ｗ、１５％ｗ／ｗ、または２０％ｗ／ｗであってもよい。
【００４４】
金属不活性化剤
金属不活性化剤は、使用中のトラクション駆動流体に接触する金属部品の摩耗の結果トラクション駆動流体に混入される可能性のある金属イオンを不活性化するように作用し得る。金属不活性化剤は、トラクション駆動流体中の金属イオンを封鎖するように作用し得る。金属不活性化剤は、トラクション駆動流体中の金属イオンの触媒作用を阻害するように作用し得る。金属不活性化剤は、金属イオンキレート剤であってもよい。金属不活性化剤は、例えば、Ｎ，Ｎ−ジサリチリデン‐１，２−プロパンジアミン、エチレンジアミン四酢酸、他の何らかの好適な金属不活性化剤、またはこれらのうちいずれか２種以上の混合物であってもよい。
【００４５】
金属不活性化剤は、トラクション駆動流体中に、約５％ｗ／ｗより低い濃度で存在してもよく、金属不活性化剤の濃度は、約２％ｗ／ｗ、１％ｗ／ｗ、または０．５％ｗ／ｗより低くてもよい。金属不活性化剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。金属不活性化剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００４６】
流動点降下剤
流動点降下剤は、トラクション駆動流体の流動点を低下させるように作用し得る。流動点降下剤は、低温でのトラクション駆動流体の流動性能を向上するように作用し得る。流動点降下剤は、低温時にトラクション駆動流体中に結晶性物質が生成することを防止するように作用し得る。流動点降下剤は、例えば、ポリ（メタ）アクリレート、スチレンエステル誘導体、他の何らかの好適な流動点降下剤、またはこれらのうちいずれか２種以上の混合物であってもよい。
【００４７】
流動点降下剤は、トラクション駆動流体中に、約２０％ｗ／ｗより低い濃度で存在してもよく、流動点降下剤の濃度は、約１０％ｗ／ｗ、５％ｗ／ｗ、２％ｗ／ｗ、１％ｗ／ｗ、または０．５％ｗ／ｗより低くてもよい。流動点降下剤の濃度は、約０％ｗ／ｗ〜約２０％ｗ／ｗであってもよく、または約０〜０．５％ｗ／ｗ、０〜１％ｗ／ｗ、０〜２％ｗ／ｗ、０〜５％ｗ／ｗ、０〜１０％ｗ／ｗ、０．５〜２０％ｗ／ｗ、１〜２０％ｗ／ｗ、２〜２０％ｗ／ｗ、５〜２０％ｗ／ｗ、１０〜２０％ｗ／ｗ、０．５〜１％ｗ／ｗ、１〜２％ｗ／ｗ、２〜５％ｗ／ｗ、または５〜１０％ｗ／ｗであってもよい。流動点降下剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、５％ｗ／ｗ、１０％ｗ／ｗ、１５％ｗ／ｗ、または２０％ｗ／ｗであってもよい。
【００４８】
消泡剤
消泡剤は、使用中のトラクション駆動流体での泡の形成を低減するように作用し得る。消泡剤は、トラクション駆動流体での泡の形成を防止するように作用し得る。消泡剤は、例えば、アルキルポリアクリレート、シリコーンオイル誘導体、エチレングリコール‐プロピレングリコール共重合体、フッ素系界面活性剤、ポリジメチルシロキサン、他の何らかの好適な消泡剤、またはこれらのうちいずれか２種以上の混合物であってもよい。
【００４９】
消泡剤は、トラクション駆動流体中に、約５％ｗ／ｗより低い濃度で存在してもよく、消泡剤の濃度は、約２％ｗ／ｗ、１％ｗ／ｗ、または０．５％ｗ／ｗより低くてもよい。消泡剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。消泡剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。ただし、消泡剤が分散剤としても機能する場合には、より多くの量で存在してもよい。
【００５０】
摩擦調整剤
摩擦調整剤は、使用中のトラクション駆動流体に接触する表面の表面摩擦を低減するように作用し得る。摩擦調整剤は、トラクション駆動流体に接触する表面と反応して該表面をコーティングすることによって、該表面の表面摩擦を低減させ得る。摩擦調整剤は、トラクション駆動流体と使用時にトラクション駆動流体が接触する表面との間の表面摩擦を調整するために用いられ得る。摩擦調整剤は、例えば、二硫化モリブデン、ジアルキルジチオリン酸亜鉛、他の何らかの好適な摩擦調整剤、またはこれらのうちいずれか２種以上の混合物であってもよい。上記粒子状固体が摩擦調整剤として作用してもよい。摩擦調整剤は、粒子状固体の成分であってもよい。
【００５１】
摩擦調整剤は、トラクション駆動流体中に、約５％ｗ／ｗより低い濃度で存在してもよく、摩擦調整剤の濃度は、約２％ｗ／ｗ、１％ｗ／ｗ、または０．５％ｗ／ｗであってもよい。摩擦調整剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。摩擦調整剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００５２】
極圧添加剤
極圧添加剤は、使用中のトラクション駆動流体に接触し、高い圧力を受ける表面の摩耗を低減するように作用し得る。極圧添加剤は、トラクション駆動流体にさらされる表面と反応して該表面上に保護コーティングを形成し得る。極圧添加剤は、例えば、油溶性の有機ホスフェート、ポリスルフィド、モリブデン誘導体、ホウ酸エステル、油溶性のホウ酸化アミン誘導体、他の何らかの好適な極圧添加剤、またはこれらのうちいずれか２種以上の混合物であってもよい。
【００５３】
極圧添加剤は、トラクション駆動流体中に、約５％ｗ／ｗより低い濃度で存在してもよく、極圧添加剤の濃度は、約２％ｗ／ｗ、１％ｗ／ｗ、または０．５％ｗ／ｗより低くてもよい。極圧添加剤の濃度は、約０％ｗ／ｗ〜約５％ｗ／ｗであってもよく、または約０〜０．５％ｗ／ｗ、０〜１％ｗ／ｗ、０〜２％ｗ／ｗ、０〜３％ｗ／ｗ、０〜４％ｗ／ｗ、０．５〜５％ｗ／ｗ、１〜５％ｗ／ｗ、２〜５％ｗ／ｗ、３〜５％ｗ／ｗ、４〜５％ｗ／ｗ、０．５〜１％ｗ／ｗ、１〜２％ｗ／ｗ、２〜３％ｗ／ｗ、または３〜４％ｗ／ｗであってもよい。極圧添加剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、３％ｗ／ｗ、４％ｗ／ｗ、または５％ｗ／ｗであってもよい。
【００５４】
分散剤
分散剤は、薄片をトラクション駆動流体中に均一に分布させるように作用し得る。ここで、「均一な」分布の好適な基準は、トラクション駆動流体を１時間静置した後、組成物の体積の上部半分および下部半分のそれぞれが、薄片を２０％以内、場合によっては１０％、５％、２％、または１％以内の同等の量（equivalent amount）で含む、というものであってもよい。本明細書を通じて用いられる「均一に分布している」という表現は、ここで定義される「均一な」分布を有することを意味すると理解され得る。分散剤は、界面活性剤であってもよい。分散剤は、アニオン性界面活性剤であってもよく、カチオン性界面活性剤であってもよく、両性イオン性界面活性剤であってもよく、非イオン性界面活性剤であってもよい。分散剤は、高分子界面活性剤であってもよく、オリゴマー界面活性剤であってもよく、単量体界面活性剤であってもよい。分散剤は、例えば、ポリエーテル、ポリエーテルアミン、エトキシ化ビスフェノールＡ、エトキシ化アクリレート、ポロキサマー、ポリアルキレングリコール、他の何らかの好適な分散剤、またはこれらのうちいずれか２種以上の混合物であってもよい。分散剤の選択は、キャリアの性質に基づいて行ってもよい。分散剤の選択は、所望の温度範囲における分散剤の溶解性特性に基づいて行ってもよい。例えば、トラクション駆動流体の作動温度範囲内のあらゆる温度でキャリアに溶解可能または部分的に溶解可能な分散剤を選択してもよい。分散剤は、トラクション駆動流体中で、１つより多くの機能を果たしてもよい。分散剤は、例えば、腐食防止剤としても機能してもよく、摩耗防止剤としても機能してもよく、抗菌剤としても機能してもよく、または他の機能を果たしてもよい。好適な界面活性剤については、本明細書の他の箇所でさらに説明する。
【００５５】
分散剤は、トラクション駆動流体中に、約２０％ｗ／ｗより低い濃度で存在してもよく、分散剤の濃度は、約１０％ｗ／ｗ、５％ｗ／ｗ、２％ｗ／ｗ、１％ｗ／ｗ、または０．５％ｗ／ｗより低くてもよい。分散剤の濃度は、約０％ｗ／ｗ〜約２０％ｗ／ｗであってもよく、または約０〜０．５％ｗ／ｗ、０〜１％ｗ／ｗ、０〜２％ｗ／ｗ、０〜５％ｗ／ｗ、０〜１０％ｗ／ｗ、０．５〜２０％ｗ／ｗ、１〜２０％ｗ／ｗ、２〜２０％ｗ／ｗ、５〜２０％ｗ／ｗ、１０〜２０％ｗ／ｗ、０．５〜１％ｗ／ｗ、１〜２％ｗ／ｗ、２〜５％ｗ／ｗ、または５〜１０％ｗ／ｗであってもよい。分散剤の濃度は、例えば、約０．１％ｗ／ｗ、０．２％ｗ／ｗ、０．５％ｗ／ｗ、１％ｗ／ｗ、１．５％ｗ／ｗ、２％ｗ／ｗ、５％ｗ／ｗ、１０％ｗ／ｗ、１５％ｗ／ｗ、または２０％ｗ／ｗであってもよい。
【００５６】
トラクション駆動流体中の粒子状固体の割合は、トラクション駆動流体のトラクション係数に影響し得る。トラクション駆動流体中の粒子状固体の割合が高い方が、粒子状固体の割合が低い同様のトラクション駆動流体と比べて、トラクション係数が大きくなり得る。トラクション駆動流体中の粒子状固体の割合は、約０．０５％ｗ／ｗ〜約１０％ｗ／ｗであってもよく、または約０．０５〜０．１％ｗ／ｗ、０．０５〜０．２％ｗ／ｗ、０．０５〜０．５％ｗ／ｗ、０．０５〜１％ｗ／ｗ、０．０５〜２％ｗ／ｗ、０．０５〜５％ｗ／ｗ、０．１〜１０％ｗ／ｗ、０．２〜１０％ｗ／ｗ、０．５〜１０％ｗ／ｗ、１〜１０％ｗ／ｗ、２〜１０％ｗ／ｗ、５〜１０％ｗ／ｗ、０．１〜０．５％ｗ／ｗ、０．５〜１％ｗ／ｗ、０．５〜２％ｗ／ｗ、または１〜５％ｗ／ｗであってもよい。トラクション駆動流体中の粒子状固体の割合は、例えば、約０．０５％ｗ／ｗ、０．１％ｗ／ｗ、０．２％ｗ／ｗ、０．３％ｗ／ｗ、０．４％ｗ／ｗ、０．５％ｗ／ｗ、０．６％ｗ／ｗ、０．７％ｗ／ｗ、０．８％ｗ／ｗ、０．９％ｗ／ｗ、１％ｗ／ｗ、２％ｗ／ｗ、３％ｗ／ｗ、４％ｗ／ｗ、５％ｗ／ｗ、６％ｗ／ｗ、７％ｗ／ｗ、８％ｗ／ｗ、９％ｗ／ｗ、または１０％ｗ／ｗであってもよい。
【００５７】
トラクション駆動流体は、低沸点物質を含まなくてもよい。トラクション駆動流体は、沸点（１気圧下で測定）が約１１０℃より低い、または約１００℃、８０℃、６０℃、または４０℃より低い物質を含んでいなくてもよい。
【００５８】
トラクション駆動流体は、さまざまな物質、特にトラクション駆動流体が使用中に接触することになる物質と適合してもよく、または反応しなくてもよい。トラクション駆動流体は、鋼、チタン、銅、バイトン、シリコーン、テフロン、およびブナＮのうちの１つ以上と適合してもよい。トラクション駆動流体は、ＡＳＴＭ  Ｄ４７１−１６ａのエラストマー適合性試験に合格し得る。
【００５９】
トラクション駆動流体のトラクション係数（接触圧力０．８ＧＰａ、速度１００ｍｍｓ-1、滑り／転がり比１０％で測定）は、２５℃で約０．０５より大きくてもよく、または、２５℃で約０．０６、０．０７、０．０８、０．０９、または０．１より大きくてもよい。トラクション係数は、２５℃で、約０．０５〜約０．２であってもよく、または約０．０５〜０．０７、０．０５〜０．０９、０．０５〜０．１、０．０５〜０．１２、０．０５〜０．１４、０．０５〜０．１６、０．０５〜０．１８、０．０７〜０．２、０．０９〜０．２、０．１〜０．２、０．１２〜０．２、０．１４〜０．２、０．１６〜０．２、０．１８〜０．２、または０．１〜０．１５であってもよい。トラクション係数は、例えば、２５℃で、約０．０５、０．０７、０．０９、０．１、０．１１、０．１２、０．１３、０．１４、０．１５、０．１６、０．１７、０．１８、０．１９、または０．２であってもよい。
【００６０】
トラクション駆動流体のトラクション係数（接触圧力０．８ＧＰａ、速度１００ｍｍｓ-1、滑り／転がり比１０％で測定）は、１２０℃で約０．０５より大きくてもよく、または、１２０℃で約０．０６、０．０７、０．０８、０．０９、または０．１より大きくてもよい。トラクション係数は、１２０℃で、約０．０５〜約０．２であってもよく、または約０．０５〜０．０７、０．０５〜０．０９、０．０５〜０．１、０．０５〜０．１２、０．０５〜０．１４、０．０５〜０．１６、０．０５〜０．１８、０．０７〜０．２、０．０９〜０．２、０．１〜０．２、０．１２〜０．２、０．１４〜０．２、０．１６〜０．２、０．１８〜０．２、または０．１〜０．１５であってもよい。トラクション係数は、例えば、１２０℃で、約０．０５、０．０７、０．０９、０．１、０．１１、０．１２、０．１３、０．１４、０．１５、０．１６、０．１７、０．１８、０．１９、または０．２であってもよい。
【００６１】
トラクション駆動流体のトラクション係数（接触圧力０．２９ＧＰａ、速度１００ｍｍｓ-1、滑り／転がり比１０％で測定）は、２５℃で約０．０５より大きくてもよく、または、２５℃で約０．０６、０．０７、０．０８、０．０９または０．１より大きくてもよい。トラクション係数は、２５℃で約０．０５〜約０．２であってもよく、または約０．０５〜０．０７、０．０５〜０．０９、０．０５〜０．１、０．０５〜０．１２、０．０５〜０．１４、０．０５〜０．１６、０．０５〜０．１８、０．０７〜０．２、０．０９〜０．２、０．１〜０．２、０．１２〜０．２、０．１４〜０．２、０．１６〜０．２、０．１８〜０．２、または０．１〜０．１５であってもよい。トラクション係数は、例えば、２５℃で約０．０５、０．０７、０．０９、０．１、０．１１、０．１２、０．１３、０．１４、０．１５、０．１６、０．１７、０．１８、０．１９、または０．２であってもよい。
【００６２】
トラクション係数は、例えば、ＰＣＳ  Ｉｎｓｔｒｕｍｅｎｔｓ社製ＭＴＭ２小型トラクションマシンなどのディスク潤滑試験システムで標準ボールを用いて測定してもよい（トラクション係数を測定するための好適な装置の例の模式図については、図３および関連する図面の簡単な説明を参照）。ここで、滑り／転がり比は、２つの転がり面の表面速度の差を大きくした状態での２つの転がり面の滑り速度の転がり速度に対する比として定義してもよく、以下のように算出し得る。
滑り／転がり比＝（滑り速度／転がり速度）×１００
式中、滑り速度＝｜Ｕ1−Ｕ2｜、転がり速度＝（Ｕ1＋Ｕ2）／２であり、Ｕ1およびＵ2は、２つの接触面の表面速度である。ここで、「速度」とは、上記のように定義される転がり速度と定義し得る。ここで、接触圧力とは、２つの転がり面の接触点において測定された２つの転がり面の間に加わった圧力として定義し得る。
【００６３】
トラクション駆動流体の流動点（例えばＡＳＴＭ  Ｄ  ９７−１６を用いて測定した場合）は、約１０℃より低くてもよく、または約０℃、−１０℃、−２０℃、−５０℃、または−１００℃より低くてもよい。トラクション駆動流体の流動点は、約−２００℃〜約１０℃であってもよく、または、約−１５０〜１０℃、−１００〜１０℃、−５０〜１０℃、−２０〜１０℃、０〜１０℃、−２００〜０℃、−２００〜−２０℃、−２００〜−５０℃、−２００〜−１００℃、−２００〜−１５０℃、または−１００〜０℃であってもよい。トラクション駆動流体の流動点は、例えば、約−２００℃、−１５０℃、−１００℃、−５０℃、−２０℃、−１０℃、０℃、または１０℃であってもよい。流動点は、トラクション駆動流体の各成分の濃度に依存し得る。流動点は、トラクション駆動流体中の粒子状固体の濃度に依存し得る。流動点は、トラクション駆動流体中の分散剤の濃度に依存し得る。
【００６４】
トラクション駆動流体の表面張力（例えば、ＡＳＴＭ  Ｄ９７１−１２を用いて測定した場合）は、２０℃で約１５ｍＮ・ｍ-1より大きくてもよく、または、２０℃で約２０ｍＮ・ｍ-1、２５ｍＮ・ｍ-1、３０ｍＮ・ｍ-1、または４０ｍＮ・ｍ-1より大きくてもよい。トラクション駆動流体の表面張力は、２０℃で約１５ｍＮ・ｍ-1〜約６０ｍＮ・ｍ-1であってもよく、または、２０℃で約２０〜６０ｍＮ・ｍ-1、３０〜６０ｍＮ・ｍ-1、４０〜６０ｍＮ・ｍ-1、５０〜６０ｍＮ・ｍ-1、１５〜２０ｍＮ・ｍ-1、１５〜３０ｍＮ・ｍ-1、１５〜４０ｍＮ・ｍ-1、１５〜５０ｍＮ・ｍ-1、または２０〜４０ｍＮ・ｍ-1であってもよい。トラクション駆動流体の表面張力は、例えば、２０℃で約１５ｍＮ・ｍ-1、２０ｍＮ・ｍ-1、２５ｍＮ・ｍ-1、３０ｍＮ・ｍ-1、３５ｍＮ・ｍ-1、４０ｍＮ・ｍ-1、４５ｍＮ・ｍ-1、５０ｍＮ・ｍ-1、５５ｍＮ・ｍ-1、または６０ｍＮ・ｍ-1であってもよい。
【００６５】
トラクション駆動流体の引火点（例えば、ＡＳＴＭ  Ｄ  ９２−１６を用いて測定した場合）は、約１５０℃より高くてもよく、または、約２００℃、２５０℃、３００℃、３５０℃、４００℃、４５０℃、または５００℃より高くてもよい。トラクション駆動流体の引火点は、約１５０℃〜約７００℃であってもよく、または、約２００〜７００℃、３００〜７００℃、４００〜７００℃、５００〜７００℃、６００〜７００℃、１５０〜２００℃、１５０〜３００℃、１５０〜４００℃、１５０〜５００℃、１５０〜６００℃、または３００〜５００℃であってもよい。トラクション駆動流体の引火点は、例えば、約１５０℃、２００℃、２５０℃、３００℃、３５０℃、４００℃、４５０℃、５００℃、５５０℃、６００℃、６５０℃、または７００℃であってもよい。
【００６６】
トラクション駆動流体の燃焼点（例えば、ＡＳＴＭ  Ｄ  ９２−１６を用いて測定した場合）は、約１５０℃より高くてもよく、または約２００℃、２５０℃、３００℃、３５０℃、４００℃、４５０℃、または５００℃より高くてもよい。トラクション駆動流体の燃焼点は、約１５０℃〜約７００℃であってもよく、または、約２００〜７００℃、３００〜７００℃、４００〜７００℃、５００〜７００℃、６００〜７００℃、１５０〜２００℃、１５０〜３００℃、１５０〜４００℃、１５０〜５００℃、１５０〜６００℃、または３００〜５００℃であってもよい。トラクション駆動流体の燃焼点は、例えば、約１５０℃、２００℃、２５０℃、３００℃、３５０℃、４００℃、４５０℃、５００℃、５５０℃、６００℃、６５０℃、または７００℃であってもよい。
【００６７】
トラクション駆動流体の自己発火温度（例えば、ＡＳＴＭ  Ｅ  ６５９−１５を用いて測定した場合）は、約１５０℃より高くてもよく、または約２００℃、２５０℃、３００℃、３５０℃、４００℃、４５０℃、または５００℃より高くてもよい。トラクション駆動流体の自己発火温度は、約１５０℃〜約７００℃であってもよく、または約２００〜７００℃、３００〜７００℃、４００〜７００℃、５００〜７００℃、６００〜７００℃、１５０〜２００℃、１５０〜３００℃、１５０〜４００℃、１５０〜５００℃、１５０〜６００℃、または３００〜５００℃であってもよい。トラクション駆動流体の自己発火温度は、例えば、約１５０℃、２００℃、２５０℃、３００℃、３５０℃、４００℃、４５０℃、５００℃、５５０℃、６００℃、６５０℃、または７００℃であってもよい。
【００６８】
トラクション駆動流体の４０℃での動的粘度（例えば、ＡＳＴＭ  Ｄ  ４４５−１５ａを用いて測定した場合）は、約５０ｍＰａ・ｓより高くてもよく、または約８０ｍＰａ・ｓ、１００ｍＰａ・ｓ、１２０ｍＰａ・ｓ、１５０ｍＰａ・ｓ、または２００ｍＰａ・ｓより高くてもよい。トラクション駆動流体の４０℃での動的粘度は、約５０ｍＰａ・ｓ〜約５００ｍＰａ・ｓであってもよく、または約１００〜５００ｍＰａ・ｓ、２００〜５００ｍＰａ・ｓ、３００〜５００ｍＰａ・ｓ、４００〜５００ｍＰａ・ｓ、５０〜１００ｍＰａ・ｓ、５０〜２００ｍＰａ・ｓ、５０〜３００ｍＰａ・ｓ、５０〜４００ｍＰａ・ｓ、１００〜２００ｍＰａ・ｓ、２００〜３００ｍＰａ・ｓ、または３００〜４００ｍＰａ・ｓであってもよい。トラクション駆動流体の４０℃での動的粘度は、例えば、約５０ｍＰａ・ｓ、８０ｍＰａ・ｓ、１００ｍＰａ・ｓ、１２０ｍＰａ・ｓ、１５０ｍＰａ・ｓ、２００ｍＰａ・ｓ、２５０ｍＰａ・ｓ、３００ｍＰａ・ｓ、３５０ｍＰａ・ｓ、４００ｍＰａ・ｓ、４５０ｍＰａ・ｓ、または５００ｍＰａ・ｓであってもよい。
【００６９】
トラクション駆動流体の全酸価（ｍｇ  ＫＯＨ／ｇ、例えばＡＳＴＭ  Ｄ  ６６４−１１ａｅ１を用いて測定した場合）は、約５未満であってもよく、または約２、１、または０．５未満であってもよい。トラクション駆動流体の全酸価は、約０〜約５であってもよく、または約０〜０．５、０〜１、０〜２、２〜５、１〜５、０．５〜５、０．５〜１、１〜２、または０．５〜２であってもよい。トラクション駆動流体の全酸価は、例えば、約０、０．２、０．４、０．５、０．６、０．８、１、１．５、２、３、４、または５であってもよい。
【００７０】
トラクション駆動流体のせん断安定度（例えば、ＡＳＴＭ  Ｄ  ５６２１−０７（２０１３）を用いて測定した場合）は、約１５％未満であってもよく、または約１０％、８％、６％、４％、または２％未満であってもよい。トラクション駆動流体のせん断安定度は、約０％〜約１５％であってもよく、または、約０〜２％、０〜５％、０〜１０％、０〜１５％、１０〜１５％、５〜１５％、２〜１５％、または２〜１０％であってもよい。トラクション駆動流体のせん断安定度は、例えば、約０％、１％、２％、３％、４％、５％、６％、７％、８％、９％、１０％、１１％、１２％、１３％、１４％、または１５％であってもよい。
【００７１】
トラクション駆動流体の極圧耐荷重性能（限界荷重ｋｇ（in kg to fail)、例えば、ＡＳＴＭ  Ｄ  ３２３３−９３（２０１４）を用いて測定した場合）は、約４００より高くてもよく、または、約５００、６００、または８００より高くてもよい。トラクション駆動流体の極圧耐荷重性能は、約４００〜約１５００であってもよく、または、５００〜１５００、８００〜１５００、１０００〜１５００、１２００〜１５００、４００〜５００、４００〜８００、４００〜１０００、４００〜１２００、５００〜８００、８００〜１０００、または１０００〜１２００であってもよい。トラクション駆動流体の極圧耐荷重性能は、例えば、約４００、４５０、５００、６００、７００、８００、１０００、１２００、または１５００であってもよい）。
【００７２】
トラクション駆動流体には、トラクション伝達素子を備えるシステムのポットまたはリザーバ中の流体の作動温度範囲として定義される作動温度範囲があり得る。例えば、図３に示すシステムでは、作動温度範囲は、作動時にポット３３０に関して平均化した流体３１０の温度範囲となる。トラクション駆動流体の作動温度範囲は、約−５０℃〜約３００℃であってもよく、または約−２０〜３００℃、−１０〜３００℃、０〜３００℃、１０〜３００℃、２０〜３００℃、−５０〜２５０℃、−５０〜２００℃、−５０〜１８０℃、−１５０〜１５０℃、−５０〜１００℃、−２０〜２５０℃、−２０〜２００℃、−２０〜１８０℃、−２０〜１５０℃、−２０〜１００℃、０〜２５０℃、０〜２００℃、０〜１８０℃、０〜１５０℃、または０〜１００℃であってもよい。
【００７３】
トラクション駆動流体は、駆動素子から被駆動素子へトルクを伝達するための方法であって、駆動素子と被駆動素子との間にトラクション駆動流体を配置することと、駆動素子を回転させることとを含む方法に用いてもよい。この方法では、駆動素子の回転によって被駆動素子の回転が生じ得る。
【００７４】
駆動素子と被駆動素子との間の空間には、駆動素子と被駆動素子との間でトルクを伝達するように作動する複数のさらなるトルク伝達素子が含まれていてもよい。ここで、「トルク伝達」とは、ある素子が何らかの仕方で回転または作動してそのトルクの一部を隣り合う素子に伝達し、それにより、駆動素子、被駆動素子、およびそれらの間のトルク伝達素子を含むシステム全体がトラクション駆動流体とともに作動して、最終的にトルクの一部を駆動素子から被駆動素子へ伝達することを意味する。これらの各トルク伝達素子は、それら自体が駆動素子の回転に伴って回転してもよい。システム（駆動素子および被駆動素子を含む）における隣り合うトルク伝達素子同士の最近接点での間隔は、約５ｍｍ未満であってもよく、または、約１ｍｍ、０．１ｍｍ、１０-2ｍｍ、１０-3ｍｍ、１０-4ｍｍ、または１０-5ｍｍ未満であってもよい。この間隔は、約１０-6〜約５ｍｍであってもよく、または約１０-6〜１ｍｍ、１０-6〜０．１ｍｍ、１０-6〜１０-2ｍｍ、１０-6〜１０-3ｍｍ、１０-6〜１０-4ｍｍ、１０-6〜１０-5ｍｍ、１０-5〜５ｍｍ、１０-4〜５ｍｍ、１０-3〜５ｍｍ、１０-2〜５ｍｍ、０．１〜５ｍｍ、１〜５ｍｍ、１０-5〜１０-4ｍｍ、１０-4〜１０-3ｍｍ、１０-3〜１０-2ｍｍ、１０-2〜０．１ｍｍ、または０．１〜１ｍｍであってもよい。この間隔は、例えば、約１０-6ｍｍ、５×１０-6ｍｍ、１０-5ｍｍ、５×１０-5ｍｍ、１０-4ｍｍ、５×１０-4ｍｍ、１０-3ｍｍ、５×１０-3ｍｍ、１０-2ｍｍ、５×１０-2ｍｍ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ、１ｍｍ、１．２ｍｍ、１．４ｍｍ、１．５ｍｍ、１．６ｍｍ、１．８ｍｍ、２ｍｍ、２．５ｍｍ、３ｍｍ、３．５ｍｍ、４ｍｍ、４．５ｍｍ、または５ｍｍであってもよい。この空隙は、トラクション流体で満たされた際に素子間でのトルク伝達が可能となる程度に十分小さくてもよい。当業者であれば、トラクション駆動流体の粘度、膜形成能、および他の流体力学的特性に基づいて好適な空隙の大きさがわかるであろう。この空隙は、隣り合うトルク伝達素子が負荷を受けて作動している場合（すなわち、トルク伝達素子がシステム内でトルクを伝達するように作動している場合）の方が、素子が作動していない場合と比べて小さくてもよい。薄片の最大横寸法は、使用時の空隙の大きさよりも小さくなるように選択されてもよい。薄片の最大横寸法は、使用時の空隙の大きさの約５０％未満であってもよく、または、使用時の空隙の大きさの約４０％、３０％、または１０％未満であってもよい。トラクション駆動流体は、システム中の隣り合うトルク伝達素子同士の最近接点における空隙を満たしてもよい。トラクション駆動流体は、システム中の隣り合うトルク伝達素子同士の最近接点における空間を満たす薄膜を形成してもよい。トラクション駆動流体は、システム中の隣り合うトルク伝達素子同士の間でトルクを伝達するように作動し得る。
【００７５】
トラクション駆動流体は、トラクション駆動装置の製造または運転に使用されてもよい。トラクション駆動装置は、自動車、バス、トラクター、芝刈り機、重機、ジェットスキー、スノーモービル、運動エネルギー回収システム、または過給機の部品として使用されてもよく、または、他の何らかの好適な機械の部品として使用されてもよい。トラクション駆動装置は、例えば、図２に示すような無段変速機の部品として使用されてもよい。使用時、パワーローラ１０は、入力駆動素子２０が回転するのに伴って、入力駆動素子２０と出力被駆動素子３０との間のトロイダル形状の空間において回転する。パワーローラの位置を変更することで出力被駆動素子３０の速度を調整できる。本発明のトラクション駆動流体は、入力駆動素子２０とパワーローラ１０との間の面およびパワーローラ１０と出力被駆動素子３０との間の面を潤滑し、入力駆動素子２０からパワーローラ１０へ、そしてパワーローラ１０から出力被駆動素子３０へトルクを伝達するように作動し得る。
【００７６】
トラクション駆動流体は、圧力に対する感応性が比較的低いものであり得る。すなわち、トラクション駆動流体は、低い接触圧力で高いトラクション係数を保持し得る。換言すれば、トラクション駆動流体は、使用中のシステムにおいて隣り合うトラクション伝達素子同士の間により厚い潤滑膜が形成される場合であっても、同様のトラクション駆動流体が使用中の隣り合うトラクション伝達素子同士の間に薄い潤滑膜を形成する場合と比較して、高いトラクション係数を保持し得る。隣り合うトラクション伝達素子同士の間の厚い潤滑膜は、素子同士の間に低い接触圧力が加わることで形成され得る。隣り合うトラクション伝達素子同士の間の薄い潤滑膜は、素子同士の間に高い接触圧力が加わることで形成され得る。トラクション駆動流体は、より低い接触圧力で作動できるため、より効率の高いトラクション駆動装置、または摩耗が低減されたトラクション駆動装置の製造に使用され得る。
【００７７】
トラクション駆動流体は、複数の方法を用いて調製し得る。その方法としては、限定されないが、以下に記載の方法が挙げられる。これらの方法において混ぜ合わされる成分の比は、上述したトラクション駆動流体を調製するのに十分な比であることが理解されるべきである。
【００７８】
第１の方法は、複数の分離した薄片をキャリアと混ぜ合わせることを含む。薄片およびキャリアはともに上述した通りである。ここで、「分離した」とは、凝集していない薄片、例えばグラファイトではなくグラフェンなどを意味する。薄片は、固体状であってもよい。薄片は、凍結乾燥された形態であってもよい。薄片は、分散系中に存在してもよい。薄片は、懸濁液中に存在してもよい。薄片は、グラファイトやタルクなどの層状材料を剥離して生成されるものであってもよい。
【００７９】
この方法は、上述した腐食防止剤、酸化防止剤、摩耗防止剤、流動点降下剤、金属不活性化剤、極圧添加剤、消泡剤、摩擦調整剤、および粘度指数向上剤のうちの１つ以上を混合物に加える工程をさらに含んでもよい。この方法は、上述した分散剤を加える工程をさらに含んでもよい。
【００８０】
第２の方法は、ａ）水に薄片が分散している分散系を非水性媒体と混ぜ合わせて、非水性媒体、水、および薄片を含む混合物を得る工程を含み、さらに、ｂ）該混合物から水を部分的にまたは完全に除去する工程を含んでもよい。
【００８１】
非水性媒体は、上述したキャリアであってもよい。上述したキャリアは、非水性媒体を含んでもよく、その場合、この方法は、キャリアの非水性媒体以外の部分を混合物に加える工程をさらに含んでもよい。上述したキャリアは、非水性媒体とは別のものであってもよく、その場合、この方法は、混合物から非水性媒体を除去し、混合物にキャリアを加える工程をさらに含んでもよい。
【００８２】
この方法は、上述した腐食防止剤、抗菌剤、酸化防止剤、摩耗防止剤、流動点降下剤、金属不活性化剤、極圧添加剤、消泡剤、摩擦調整剤、および粘度指数向上剤のうちの１つ以上を混合物に加えることをさらに含んでもよい。
【００８３】
非水性媒体は、上述した分散剤を含んでもよい。非水性媒体は、分散剤を含まなくてもよく、その場合、この方法は、薄片をキャリア中に分散させるための分散剤を加える工程をさらに含んでもよい。
【００８４】
薄片は、その表面に界面活性剤の完全な単層（complete monolayer）を有してもよい。界面活性剤は、上述した分散剤であってもよい。界面活性剤は、分散剤とは別のものであってもよい。界面活性剤は、高分子界面活性剤であってもよい。界面活性剤は、非イオン性であってもよい。水に薄片が分散している分散系は、上記界面活性剤と錯体を形成可能であるか、さもなくば界面活性剤に作用可能な塩を含んでもよい。塩は、多価カチオンの塩であってもよい。塩は、例えば塩化第二鉄などの第二鉄の塩であってもよい。この方法は、工程ａ）の前に、該塩を水に加えることを含んでもよい。
【００８５】
この方法は、水中で層状材料（例えばグラファイト）を剥離して、水に薄片（例えばグラフェン）が分散している分散系を調製する工程を含んでもよい。この剥離工程は、界面活性剤の水溶液中で、薄片を該水溶液中に生じさせるのに十分な時間、層状材料に対して超音波処理を行うことを含んでもよい。この超音波処理は、水溶液中の界面活性剤の濃度が、超音波処理の間常に、水溶液中の層状材料および薄片の表面に完全な単層を形成するのに十分な濃度に維持されるように行われる。
【００８６】
非水性媒体は、水よりも低い蒸気圧を有してもよい。この場合、工程ｂ）は、混合物から水を揮発または部分的に揮発させて、非水性媒体に薄片が分散している分散系を残存させることを含んでもよい。好適な非水性媒体としては、ベンジルアルコール、グリコールエーテル、反応性アミン、双極性非プロトン溶媒、およびこれらのうちいずれか２種以上の混合物が挙げられる。非水性媒体は、水と混和可能であってもよい。また、工程ａ）は、分散系を非水性媒体とともに撹拌することを含んでもよい。非水性媒体は、２５℃で液体であってもよい。
【００８７】
非水性媒体は、水と混和不能であってもよい。この場合、工程ａ）は、分散系を非水性媒体とともに撹拌することを含み、工程ｂ）は、該混合物を分離させて、非水性媒体に薄片が分散している分散系から水を分離することを含んでもよい。好適な非水性媒体としては、ハロゲン化媒体およびそれらの混合物が挙げられる。非水性媒体が水と混和不能である場合、非水性媒体は、約０℃〜約１００℃の間のある温度、通常約２０℃〜約５０℃の間のある温度で液体であってもよい。
【００８８】
この方法は、非水性媒体に薄片が分散している分散系に、蒸気圧が非水性媒体よりも高い共沸混合物を水とともに形成する共沸液体を加えることと、次いで該共沸混合物を分散系から揮発させること（例えば、共沸混合物を沸騰させて分散系から除去すること）とをさらに含んでもよい。
【００８９】
この方法は、非水性媒体に薄片が分散している分散系を固体乾燥剤に曝露することと、該固体乾燥剤を分散系から分離することとをさらに含んでもよい。これは、通常、非水性媒体が液体である温度で行われる。固体乾燥剤は、例えば、ゼオライトであってもよい。固体乾燥剤は、相当の量の薄片を除去することなく除去できるような十分に大きな粒径を有してもよい。固体乾燥剤は、非水性媒体に薄片が分散している分散系に沈殿させることによって、または浮遊させることによって分離可能であってもよい。
【００９０】
ここで、分散系とは、媒体に分散している固体粒子を指すとみなしてもよい。固体粒子は、実質的に均一に分散し得る。分散系は、懸濁液であってもよい。分散系は、液体分散系であってもよく、固体分散系であってもよい。分散系は、安定であり得る。分散系は、実質的に均一になるように撹拌し、その後２５℃で静置した場合に、１時間、１日間、１週間、または１ヶ月間実質的に均一なままである程度に安定であり得る。「実質的に均一」とは、分散系の上部５０体積％分が、固体粒子の４５〜５５体積％、場合によっては４９〜５１体積％または４９．５〜５０．５体積％を含有していることを指すと解されるべきである。分散系が固体分散系である場合、非水性媒体の固体マトリクスの存在により、分散した粒子の分離が防止、または少なくとも強く抑制されるために、分散系はほぼ無期限に安定となりやすいことが理解されるであろう。
【００９１】
「非水性媒体」という用語は、薄片をその内部に分散できる物質を意味する。非水性媒体は、約１５℃〜約５０℃の間のある温度、例えば、約１５℃、２０℃、２５℃、３０℃、３５℃、４０℃、４５℃、または５０℃で液体であってもよい。しかし、場合によっては、非水性媒体は、より高い融点、例えば、約５０℃を超える融点、または約６０℃、８０℃、１００℃、１２０℃、１４０℃、１６０℃、１８０℃、または２００℃を超える融点を有してもよい。少なくとも非水性媒体が１００℃を超える融点を有している場合には、非水性媒体が水と混和可能であり、水、非水性媒体、および粒子の混合物からの水の分離を該混合物から水を揮発させることによって行うことが好ましい。「非水性」という用語は、媒体が水ではないことを意味する。非水性媒体は、少量の水、例えば、約１０重量％未満、または約５重量％、２重量％、または１重量％未満の水を含んでもよく、水を全く含んでいなくてもよい。
【００９２】
非水性媒体は、水と混和可能であってもよく、水と混和不能であってもよい。何らかの物質が全く水と混和しないということはほとんどなく、疎水性が非常に高い物質であっても、平衡状態で測定可能な量の水を含有し得ることは理解されるであろう。しかし、ここでは、「混和可能」という用語および「混和不能」という用語は、本発明において２つの媒体（水および非水性媒体）が用いられる比率における混和性を意味すると解されるべきである。そこで、この方法の工程ａ）は、水に上記粒子が分散している分散系を非水性媒体と混ぜ合わせて、混合物を得ることを含む。したがって、ここでは、「混和可能」とは、水と非水性媒体とが、工程ａ）で用いられる割合において完全に混和する（すなわち単一の相を形成する）ことを意味し、「混和不能」とは、水と非水性媒体とが、工程ａ）で用いられる割合において、完全には混和しないことを意味する。この比率（水／非水性媒体）は、例えば、約０．１〜約１０（体積基準）であってもよく、または約０．１〜５、０．１〜２、０．１〜１、０．１〜０．５、０．１〜０．２、０．２〜１０、０．５〜１０、１〜１０、２〜１０、５〜１０、０．２〜５、０．５〜２、０．２〜１、０．５〜１、１〜１０、または１〜５であってもよく、例えば、約０．１、０．２、０．３、０．４、０．５、０．６、０．７、０．８、０．９、１、１．５、２、２．５、３、３．５、４、４．５、５、６、７、８、９、または１０であってもよい。本明細書において、混和性を評価する温度で非水性媒体が固体である場合、「混和可能」という用語は「溶解可能」を包含すると解されるべきであり、同様に、「混和不能」という用語は「溶解不能」を包含すると解されるべきである。
【００９３】
非水性媒体中の粒子の濃度を高くするために、水分散系（すなわち、水に薄片が分散している分散系）の非水性媒体に対する比率を高くしてもよい。そこで、例えば、水分散系の非水性媒体に対する比率を２：１とすると、得られる非水性媒体分散系の粒子濃度は、出発材料である水分散系の粒子濃度のおよそ２倍となる（ただし、実質的に全ての粒子が移し入れられる場合）。
【００９４】
この方法の工程ａ）は、状況の詳細に応じて任意の好適な温度で行えばよい。例えば、安定性を向上させ、凝集を抑えるなどするために、より低い温度を採用してもよく、また、粘度を低下させるためおよび／または非水性媒体が確実に液体状態であるようにするために、より高い温度を採用してもよい。最適な温度を決定する際には、水と非水性媒体との混和性への影響も考慮に入れるべきである。好適な温度は、通常、約０℃〜約５０℃、または０〜３０℃、０〜２０℃、０〜１０℃、１０〜５０℃、２０〜５０℃、１０〜３０℃、または２０〜４０℃であり、例えば、約０℃、５℃、１０℃、１５℃、２０℃、２５℃、３０℃、３５℃、４０℃、４５℃、または５０℃であるが、場合によってはより高い温度を採用してもよい。この温度は、非水性媒体の融点以上であるべきである。
【００９５】
好適な水と混和可能な非水性媒体としては、高分子材料の製造に用いられ得る反応性化合物が挙げられる。このような化合物としては、ジアミノ化合物、ポリアミノ化合物、および、ポリウレタン、ポリアミド、エポキシポリマーなどの製造に用いられ得るプレポリマーが挙げられる。好適なこのような化合物としては、テトラメチレンジアミンおよびヘキサメチレンジアミンが挙げられる。他の好適な水と混和可能な非水性媒体としては、イオン性媒体、ヘキサメチルホスホラストリアミン（ＨＭＰＴ）、ヘキサメチルホスホルアミド（ＨＭＰＡ）、ジメチルスルホキシド、ジメチルアセトアミド、ジメチルホルムアミド、Ｎ−メチルピロリドン（ＮＭＰ）、Ｎ−メチルモルホリン−Ｎ−オキシドなどの高沸点極性非プロトン溶媒、さらには、ベンジルアルコール、ジエチレングリコールやジエチレングリコールモノエチルエーテルなどのグリコールエーテル、などの高沸点アルコールが挙げられる。
【００９６】
好適な水と混和不能な非水性媒体としては、沸点が約１１０℃より高い、または沸点が約１２０℃、１２５℃、１３０℃、１３５℃、１４０℃、１４５℃、または１５０℃より高い炭化水素、通常は芳香族炭化水素、が挙げられる。その他には、例えば塩素化または臭素化炭化水素などのハロゲン化炭化水素が挙げられる。これらはモノハロゲン化炭化水素またはジハロゲン化炭化水素であってもよく、１分子中に２つより多い数の（例えば、３つ、４つ、５つ、または６つ）のハロゲン原子を有してもよい。ハロゲン化炭化水素が１分子中に１つより多い数のハロゲン原子を有する場合、それらハロゲン原子は全て同じであってもよく、そのうちの１つ以上が異なっていてもよい。ハロゲン化炭化水素は芳香族であってもよく、脂肪族であってもよい。例としては、ジブロモジクロロメタン、ブロモクロロベンゼン、テトラクロロメタン、クロロホルム、ジクロロメタン、クロロベンゼン、ジクロロベンゼン、ジクロロエタン、ベンジルクロリド、クロロトルエンなどが挙げられる。
【００９７】
本明細書において「水」という場合、その水は純水でなくてもよいと理解されるべきである。水は溶解物を含んでもよい。溶解物は、塩であってもよく、溶存ガスであってもよく、界面活性剤であってもよく、その他の種類の溶質であってもよい。水に１つより多い種類の溶解物が存在していてもよい。ある実施形態では、この方法の工程ａ）の分散系の水には、いかなる有機溶媒も溶解していない。
【００９８】
水に粒子が分散している分散系における薄片の含有量は、少なくとも約０．０１％であってもよく、または少なくとも約０．０２％、０．０５％、０．１％、０．２％、０．５％、１％、２％、５％または１０％であってもよく、または約０．０１％〜約２０％であってもよく、または約０．０１〜１０％、０．０１〜１％、０．０５〜２０％、０．０５〜１０％、０．０５〜１％、０．１〜２０％、０．１〜１０％、０．１〜５％、０．１〜１％、０．１〜１％、０．１〜０．５％、０．５〜２０％、１〜２０％、２〜２０％、５〜２０％、１０〜２０％、０．５〜５％、１〜１０％、１〜５％、または５〜１０％であってもよく、例えば、約０．０１％、０．０２％、０．０３％、０．０４％、０．０５％、０．０６％、０．０７％、０．０８％、０．０９％、０．１％、０．２％、０．３％、０．４％、０．５％、１％、２％、３％、４％、５％、６％、７％、８％、９％、１０％、１１％、１２％、１３％、１４％、１５％、１６％、１７％、１８％、１９％、または２０％であってもよい。非水性媒体に粒子が分散している最終的に得られる分散系の濃度は、少なくとも約０．０１％であってもよく、または少なくとも約０．０２％、０．０５％、０．１％、０．２％、０．５％、１％、２％、５％または１０％であってもよく、または約０．０１％〜約２０％であってもよく、または約０．０１〜１０％、０．０１〜１％、０．０５〜２０％、０．０５〜１０％、０．０５〜１％、０．１〜２０％、０．１〜１０％、０．１〜５％、０．１〜１％、０．１〜１％、０．１〜０．５％、０．５〜２０％、１〜２０％、２〜２０％、５〜２０％、１０〜２０％、０．５〜５％、１〜１０％、１〜５％、または５〜１０％であってもよく、例えば、約０．０１％、０．０２％、０．０３％、０．０４％、０．０５％、０．０６％、０．０７％、０．０８％、０．０９％、０．１％、０．２％、０．３％、０．４％、０．５％、１％、２％、３％、４％、５％、６％、７％、８％、９％、１０％、１１％、１２％、１３％、１４％、１５％、１６％、１７％、１８％、１９％、または２０％であってもよい。これらの濃度はｗ／ｗ基準であってもよく、ｗ／ｖ基準であってもよい。
【００９９】
通常、水に粒子が分散している分散系は、界面活性剤の存在によって安定化される。界面活性剤は、好ましくは粒子の表面に完全な単層として存在する。界面活性剤の単層は、非水性媒体中の粒子もその表面に界面活性剤の単層を有するように、方法を実施する間、粒子の界面活性剤に常に存在し続けてもよい。界面活性剤は、上述した分散剤であってもよい。界面活性剤は、上述した分散剤の成分であってもよい。上述した分散剤が、界面活性剤の成分であってもよい。界面活性剤は、上述した分散剤とは別のものであってもよい。
【０１００】
界面活性剤は、高分子であってもよい。界面活性剤は、非イオン性界面活性剤であってもよい。界面活性剤は、エチレンオキシドとプロピレンオキシドとの共重合体であってもよい。界面活性剤は、水中におけるｄγ／ｄｃ（濃度の変化に伴う表面張力の変化率）の値が約０Ｎｍ-1・ｍｏｌ-1・Ｌ未満であってもよく、または約−０．１Ｎｍ-1・ｍｏｌ-1・Ｌ〜約−５Ｎｍ-1・ｍｏｌ-1・Ｌであってもよい。界面活性剤の臨界ミセル濃度（ｃｍｃ）は、約１ｍＭより高くてもよく、または約１．５ｍＭ、２ｍＭ、２．５ｍＭ、または３ｍＭより高くてもよく、または約１ｍＭ〜約５ｍＭであってもよく、または約１〜３ｍＭ、１〜４ｍＭ、１．５〜５ｍＭ、２〜５ｍＭ、１．５〜３ｍＭ、または２〜４ｍＭであってもよく、例えば約０．５ｍＭ、１ｍＭ、１．５ｍＭ、２ｍＭ、２．５ｍＭ、３ｍＭ、３．５ｍＭ、４ｍＭ、４．５ｍＭ、または５ｍＭであってもよい。
【０１０１】
界面活性剤が高分子である場合、その分子量（数平均または重量平均分子量）は、約５００〜約５００００であってもよく、または約５００〜１００００、５００〜５０００、５００〜１０００、１０００〜５００００、１００００〜５００００、１０００〜１００００、１０００〜５０００、または５０００〜１００００であってもよく、例えば、約５００、６００、７００、８００、９００、１０００、１５００、２０００、２５００、３０００、３５００、４０００、４５００、５０００、６０００、７０００、８０００、９０００、１００００、１５０００、２００００、２５０００、３００００、３５０００、４００００、４５０００、または５００００であってもよい。界面活性剤は、分子量範囲が狭くてもよく、分子量範囲が広くてもよい。比Ｍｗ／Ｍｎは、約１．１より大きくてもよく、または約１．２、１．３、１．４、１．５、２、３、４または５より大きくてもよく、比Ｍｗ／Ｍｎは、約５より小さくてもよく、または約４、３、２、１．５または１．２より小さくてもよい。比Ｍｗ／Ｍｎは、例えば、約１．１、１．２、１．３、１．４、１．５、２、２．５、３、３．５、４、４．５または５であってもよい。界面活性剤の重合度は、約１０〜約１０００であってもよく、または約１０〜５００、１０〜２００、１０〜１００、１０〜５０、２０〜１０００、５０〜１０００、１００〜１０００、５００〜１０００、２０〜２００、２０〜１００または１００〜２００であってもよく、例えば、約１０、１５、２０、２５、３０、３５、４０、４５、５０、６０、７０、８０、９０、１００、１５０、２００、２５０、３００、３５０、４００、４５０、５００、６００、７００、８００、９００、または１０００であってもよい。複数の界面活性剤の混合物を用いてもよい。この場合、複数の界面活性剤のうちの少なくとも１つ、場合によっては複数の界面活性剤の全てが、上述の通りであってもよい。
【０１０２】
界面活性剤は、共重合体であってもよい。界面活性剤は、エチレンオキシド‐プロピレンオキシド共重合体であってもよい。界面活性剤は、他のコモノマーを有してもよく、他のコモノマーを有しなくてもよい。界面活性剤は、窒素原子に結合した１つ以上（場合によっては３つ）のエチレンオキシド‐プロピレンオキシド共重合体置換基を有するアミンであってもよい。界面活性剤は、ブロック共重合体であってもよい。界面活性剤は、トリブロック共重合体であってもよい。界面活性剤は、エチレンオキシド‐プロピレンオキシドブロック共重合体であってもよい。界面活性剤は、ポロキサマーであってもよい。界面活性剤は、エチレンオキシド‐プロピレンオキシド‐エチレンオキシドトリブロック共重合体であってもよい。２つのエチレンオキシドブロックは、長さが同じであってもよく、長さが異なっていてもよい。この重合体におけるエチレンオキシドの割合は、重量％またはモル％で、約１０％〜約９０％であってもよく、または約１０〜５０％、１０〜３０％、５０〜９０％、７０〜９０％、２０〜８０％、２０〜５０％、５０〜８０％、２０〜４０％、または６０〜８０％であってもよく、例えば、約１０％、２０％、３０％、４０％、５０％、６０％、７０％、８０％、または９０％であってもよい。
【０１０３】
界面活性剤の親水性親油性バランス（ＨＬＢ）は、約６より大きくてもよく、または約７、８、１０、１２、１５または２０より大きくてもよく、または約６、７、８、９、１０、１１、１２、１３、１４、１５、１６、１７、１８、１９、２０、２１、２２、２３、または２４であってもよく、または２４より大きくてもよい。本発明に用いられ得る好適な界面活性剤としては、Ｐｌｕｒｏｎｉｃ（登録商標）Ｐ１２３（公称ＨＯ（ＣＨ2ＣＨ2Ｏ）20（ＣＨ2ＣＨ（ＣＨ3）Ｏ）70（ＣＨ2ＣＨ2Ｏ）20Ｈ：ＨＬＢ＝約７）、Ｐｌｕｒｏｎｉｃ（登録商標）Ｌ３１（公称ＨＯ（ＣＨ2ＣＨ2Ｏ）2（ＣＨ2ＣＨ（ＣＨ3）Ｏ）16（ＣＨ2ＣＨ2Ｏ）2Ｈ：ＨＬＢ＝約１〜７）、Ｐｌｕｒｏｎｉｃ（登録商標）Ｆ１２７（公称ＨＯ（ＣＨ2ＣＨ2Ｏ）101（ＣＨ2ＣＨ（ＣＨ3）Ｏ）56（ＣＨ2ＣＨ2Ｏ）101Ｈ：ＨＬＢ＝約２２）、Ｐｌｕｒｏｎｉｃ（登録商標）Ｆ１０８（ＨＯ（Ｃ2Ｈ4Ｏ）141（Ｃ3Ｈ6Ｏ）44（Ｃ2Ｈ4Ｏ）141Ｈ：公称ＨＬＢ＞２４）、およびアミノ官能性ポリエーテル（例えば、商品名「Ｊｅｆｆａｍｉｎｅ（登録商標）」として販売されているもの）が挙げられる。一般に、界面活性剤は、ＨＬＢが高いほど、曇り点も高い。通常、ＨＬＢが約１２を超える界面活性剤の曇り点は、約１００℃を超える。したがって、好ましい実施形態では、界面活性剤のＨＬＢは、１２を超えていてもよい。界面活性剤の曇り点は、１００℃を超えていてもよく、または約１１０℃、１２０℃、１３０℃、１４０℃、または１５０℃を超えていてもよい。一般に、分散系をより良好に安定化させるためには、ＨＬＢが高いほど好ましい。界面活性剤は、非発泡性の界面活性剤であってもよい。
【０１０４】
場合によっては、水の中に塩が存在してもよい。これにより、非水性媒体中への抽出が容易になる場合がある。塩は、界面活性剤と錯体を形成するか、さもなくば界面活性剤に結合するかして界面活性剤の疎水性を増大させることにより、非水性媒体中への抽出を容易にし得る。塩は、水分散系を非水性媒体と混ぜ合わせる前に加えてもよいし、混ぜ合わせた後に加えてもよい。塩は、ハロゲン化化合物と錯体を形成可能であるか、さもなくばハロゲン化化合物に結合可能な塩であるべきである。通常、塩は、多価カチオン（すなわち一価ではない、例えば２＋、３＋、または４＋のカチオン）を有する塩である。したがって、好適な塩としては、例えば塩化第二鉄または臭化第二鉄といったＦｅ3+塩などの鉄の塩、およびＬａ3+塩が挙げられる。特定の界面活性剤のＰＥＯ鎖に作用可能な、Ｆｅ（ＳＣＮ）2+塩などの他の錯体を形成する塩を用いてもよい。これらの塩は、その濃度を非水性相において測色的に（colorimetrically）特定できるため、便利である。好適な水中での濃度は、約０．０１〜０．５Ｍであり、または約０．０５〜０．５Ｍ、０．１〜０．５Ｍ、０．１〜０．５Ｍ、または０．０５〜０．２Ｍであり、例えば約０．０１Ｍ、０．０２Ｍ、０．０３Ｍ、０．０４Ｍ、０．０５Ｍ、０．０６Ｍ、０．０７Ｍ、０．０８Ｍ、０．０９Ｍ、０．１Ｍ、０．１５Ｍ、０．２Ｍ、０．２５Ｍ、０．３Ｍ、０．３５Ｍ、０．４Ｍ、０．４５Ｍ、または０．５Ｍである。
【０１０５】
水の除去は、部分的な除去であってもよいし、全体的な除去であってもよい。場合によっては、後ほど詳述するように、水の大部分を最初の工程で除去し、続く乾燥工程で残りの水のほとんどまたは全てを除去する。最初の水除去工程では、例えば、水の少なくとも約９０％を除去してもよく、または、水の少なくとも約９５％、９６％、９７％、９８％、９９％、または９９．５％を除去してもよい。この段階での除去の程度は、非水性媒体の性質および除去方法に依存する。
【０１０６】
水を除去する工程は、２つの互いに混和不能な媒体を物理的に分離することで行ってもよく、水を揮発させることで行ってもよく、凍結乾燥によって行ってもよく、または他の好適な方法で行ってもよい。水を除去する的確な方法は、例えば非水性媒体の性質に依存する。
【０１０７】
特に、非水性媒体が水と混和可能である場合、この方法の工程ａ）で形成される混合物は、単一の媒体相のみを有する（ただし、混合物は固体相として分散した粒子を含有する）。この場合、水を除去するための好適な方法は、揮発による方法である。通常、この方法には、水が揮発するまたは沸騰する温度まで混合物を加熱することが含まれることが多い。一般的に、この方法では、非水性媒体が、水の蒸気圧よりも低い蒸気圧を有する必要がある。非水性媒体の１００℃での蒸気圧は、約９０ｋＰａ未満であってもよく、または約８０ｋＰａ、７０ｋＰａ、６０ｋＰａ、５０ｋＰａ、４０ｋＰａ、３０ｋＰａ、２０ｋＰａ、または１０ｋＰａ未満であってもよく、または約９０ｋＰａであってもよく、または約８０ｋＰａ、７０ｋＰａ、６０ｋＰａ、５０ｋＰａ、４０ｋＰａ、３０ｋＰａ、２０ｋＰａ、または１０ｋＰａであってもよい。非水性媒体の沸点（通常の大気圧における）は、少なくとも約１１０℃であってもよく、または少なくとも約１２０℃、１３０℃、１４０℃、または１５０℃であってもよい。場合によっては、非水性媒体の沸点は測定不可能であってもよい（すなわち、非水性媒体は、沸点に達する前に分解してもよい）。
【０１０８】
上述したプロセスは、水を除去しながら非水性媒体の大部分（通常、少なくとも約６０％、または少なくとも約７０％、８０％、または９０％）を残存させるための混合物の分留を意味するとみなし得る。この場合、上述したように、界面活性剤が存在しているならば、界面活性剤の曇り点が１００℃より高いか、または水の除去が行われる温度よりも高いことが好ましい。工程ｂ）を減圧下、例えば絶対圧力で約５０ｋＰａ未満、または約４０ｋＰａ、３０ｋＰａ、２０ｋＰａ、１０ｋＰａ、５ｋＰａ、２ｋＰａ、または１ｋＰａ未満、または約０．１ｋＰａ〜約５０ｋＰａ、約０．１〜２０ｋＰａ、０．１〜１０ｋＰａ、０．１〜５ｋＰａ、０．１〜１ｋＰａ、１〜５０ｋＰａ、５〜５０ｋＰａ、１０〜５０ｋＰａ、２０〜５０ｋＰａ、１０〜２０ｋＰａ、または１〜１０ｋＰａ、例えば約０．１ｋＰａ、０．２ｋＰａ、０．３ｋＰａ、０．４ｋＰａ、０．５ｋＰａ、０．６ｋＰａ、０．７ｋＰａ、０．８ｋＰａ、０．９ｋＰａ、１ｋＰａ、２ｋＰａ、３ｋＰａ、４ｋＰａ、５ｋＰａ、１０ｋＰａ、１５ｋＰａ、２０ｋＰａ、２５ｋＰａ、３０ｋＰａ、３５ｋＰａ、４０ｋＰａ、４５ｋＰａ、または５０ｋＰａで行うことによって、水の除去を促進してもよい。大気圧より低い圧力を用いることによって、水の除去を、大気温度での場合よりも低い温度で行うことが可能になる。さらに／あるいは、混合物に、通常細かく分離された気泡の状態で気体を通過させることによって（例えば、フリットまたは同様の装置を用いる）、除去を促進してもよい。特定の有機媒体は水と共沸可能であることが知られており、この現象を利用して水の除去を行う温度を低下させてもよい。例えば、トルエンは、およそ８４℃で沸騰する水との共沸混合物を形成可能である。したがって、トルエンが存在しない場合には水の沸点は１００℃（１気圧下）であるが、適切な量のトルエンを加えれば、約８４℃（１気圧下）に加熱することで水を除去できる。水／トルエン共沸混合物は約８０重量％のトルエンを含有するため、この例では、水の重量の約４倍のトルエンを加える必要がある。
【０１０９】
非水性媒体が水と混和可能ではない場合、非水性媒体の蒸気圧が水の蒸気圧よりも高ければ、上述したような揮発／沸騰によって水を除去してもよい。なお、上述したように、特定の媒体は水と共沸する。そこで、非水性媒体自体が水と共沸混合物を形成するのであれば、非水性媒体自体が（水と混和可能か否かに関わらず）水よりも揮発性が高い場合に水の除去を達成し得る。例えば、水と混和可能でなく水よりも揮発性が高い四塩化炭素は、約６７℃で沸騰する水との共沸混合物を形成するが、この温度は純粋な四塩化炭素の沸点よりもおよそ１０℃低い。したがって、該共沸混合物を揮発させることによって、この非常に揮発しやすい溶媒から水を除去し得る。同様に、水と混和可能であって水よりも揮発性が高いｎ‐プロパノールは、約８８℃で沸騰する水との共沸混合物を形成するが、この温度は純粋なｎ‐プロパノールの沸点よりもおよそ９℃低い。したがって、該共沸混合物を揮発させることによって、この非常に揮発しやすい溶媒から水を除去し得る。
【０１１０】
水と混和不能な非水性媒体から水を除去するための別の方法は、それら２つの媒体を単に物理的に分離することである。そこで、水と混和不能な非水性媒体の例として、クロロベンゼンが挙げられる。クロロベンゼンの密度は、水の密度よりも約１０％高い。したがって、クロロベンゼンと水との混合物は、水が上層となりクロロベンゼンが下層となるように分離する傾向がある。これらは、下層を流出させることによって、または上層をデカントすることによって、または何らかの同様の方法によって分離し得る。２つの互いに混和不能な媒体の分離は、遠心分離によって促進し得る。この場合、外側の媒体が密度が高い方の媒体となるが、その外側の媒体を遠心分離機の外へ出すことによって分離してもよい。この場合の具体的な例では、非水性媒体の融点が約５℃〜約１００℃であれば、水に粒子が分散している分散系と非水性媒体とを非水性媒体の融点よりも高い温度で撹拌し、次いで温度を該融点未満まで低下させることにより、粒子が分散した状態になった非水性媒体を固化させてもよい。その後、単にデカントすることによって、または濾過することによって、または固液分離に好適な他の何らかの方法によって、水を除去してもよい。
【０１１１】
好適な水と混和不能な非水性媒体としては、例えば塩素化化合物などのハロゲン化化合物（ハロゲン化溶媒など）が挙げられる。
【０１１２】
混合物から水を除去した後、非水性媒体に薄片が分散している得られた分散系を乾燥させてもよい。最初の水の除去が不完全であり、そのために分散系に水が残留している可能性があるからである。例えば、単に水を分留することによって水と混和可能な媒体から水を残らず取り除くことは通常困難である。乾燥のための好適な方法としては、共沸する媒体を加え、例えばディーン・スターク分離装置または他の好適な装置を用いて残留水を共沸除去することが挙げられる。さらに／または、例えばゼオライト、無水塩、水反応性物質（例えば、ナトリウム金属）、または他の好適な乾燥剤などの乾燥剤を用いて水を除去してもよい。当業者であれば、ある特定の状況に対してこれらの方法のうちどの方法が適しているか容易に理解するであろう（例えば、非水性媒体がアルコールなどのプロトン性媒体である場合、ナトリウム金属の使用は不適切となる）。
【０１１３】
上述したように、薄片は、特に水中における剥離によって得ることができる。この場合、前駆体となる層状材料（例えばグラファイト、マイカなど）に対して水中で超音波処理を行うことを含んでもよい。この超音波処理は、界面活性剤の存在下で行うことが好ましく、界面活性剤の濃度が、超音波処理の間常に、分散系中の各種粒子（層状薄片および剥離薄片）上に完全な単層を形成するのに十分な濃度に維持されるように行うことが好ましい。この方法は、ＷＯ２０１３／０１０２１１に詳述されている。１つの選択肢では、混合物における初期の界面活性剤濃度が、層状材料が一旦剥離された後、引き続き行われる超音波処理の間に形成される剥離粒子上に単層を形成するのに十分な濃度である。別の選択肢では、混合物における初期の界面活性剤濃度が初期の層状粒子上に単層を形成するのに十分な濃度であり、超音波処理の間常に、界面活性剤の濃度が分散系中の全ての粒子上に完全な単層を形成するのに十分な濃度となるように、超音波処理を行いながら界面活性剤を連続的にまたは回分式に加える。なお、剥離が進行するにつれて、合計の表面積が増加するので、分散系中の全ての粒子上に単層を形成するためにはより多くの界面活性剤が必要となる。
【０１１４】
上述した第１の選択肢では、初期の界面活性剤濃度を、算出した剥離薄片の表面積と既知である界面活性剤の１分子あたりの面積とから容易に決定し得る。後者は、容易に利用可能な文献から取得してもよく、例えばラングミュア‐ブロジェット装置を用いて実験的に測定してもよい。上述した第２の選択肢では、界面活性剤の添加率を決定するための好適な方法は以下の通りである。
１．液相（水）の表面張力を界面活性剤の濃度の関数として測定し、下方値（Ｃ１）から予想閾値（Ｃ２ｅ、通常約４８〜５０ｍＪ／ｍ2より大きい表面張力に対応）までの表面張力に対応する濃度領域を特定する。
２．まず、界面活性剤を層状材料の分散系に加えて濃度約Ｃ１の液を作る。
３．分散系の超音波処理を開始し、一定の時間間隔で試料を取り出す。液相の表面張力を超音波処理開始からの経過時間の関数として求める。
４．工程３で得られたデータから検量線（例えば図３参照）を作成する。この検量線は、界面活性剤が剥離材料に吸着して消費された結果である溶液の表面張力を時間の関数として示す。
５．工程４で得た表面張力／時間曲線が横ばいになることを確認することによって、剥離が終了した時点（Ｔ１）を求めることができる。その時点における濃度が閾値Ｃ２である。
６．最小限の消費率（Ｃ１−Ｃ２）／Ｔ１にて界面活性剤を補給する。
【０１１５】
通常、下方値Ｃ１は、約４５ｍＪ／ｍ2未満、または約４４ｍＪ／ｍ2、４３ｍＪ／ｍ2、４２ｍＪ／ｍ2、４１ｍＪ／ｍ2、または４０４５ｍＪ／ｍ2未満、または約３５ｍＪ／ｍ2〜約４５ｍＪ／ｍ2、または約３８〜４５ｍＪ／ｍ2、４０〜４５ｍＪ／ｍ2、３５〜４３ｍＪ／ｍ2、３５〜４０ｍＪ／ｍ2、３８〜４２ｍＪ／ｍ2または４０〜４２ｍＪ／ｍ2であり、例えば約３５ｍＪ／ｍ2、３６ｍＪ／ｍ2、３７ｍＪ／ｍ2、３８ｍＪ／ｍ2、３９ｍＪ／ｍ2、４０ｍＪ／ｍ2、４１ｍＪ／ｍ2、４２ｍＪ／ｍ2、４３ｍＪ／ｍ2、４４ｍＪ／ｍ2、または４５ｍＪ／ｍ2である。閾値（Ｃ２ｅ、Ｃ２）は、通常、４５ｍＪ／ｍ2より大きく、または４６ｍＪ／ｍ2、４７ｍＪ／ｍ2、４８ｍＪ／ｍ2、４９ｍＪ／ｍ2、または５０ｍＪ／ｍ2より大きく、または約４５〜５５ｍＪ／ｍ2であり、または約４５〜５０ｍＪ／ｍ2、５０〜５５ｍＪ／ｍ2、４８〜５２ｍＪ／ｍ2、または４７〜４０ｍＪ／ｍ2であり、例えば、約４５ｍＪ／ｍ2、４６ｍＪ／ｍ2、４７ｍＪ／ｍ2、４８ｍＪ／ｍ2、４９ｍＪ／ｍ2、５０ｍＪ／ｍ2、５１ｍＪ／ｍ2、５２ｍＪ／ｍ2、５３ｍＪ／ｍ2、５４ｍＪ／ｍ2、または５５ｍＪ／ｍ2である。
【０１１６】
超音波処理の出力は、約１０Ｗより大きくてもよく、または約２０Ｗ、５０Ｗ、１００Ｗ、２００Ｗ、５００Ｗ、１０００Ｗ、２０００Ｗ、３０００Ｗ、または４０００Ｗより大きくてもよく、または約１０Ｗ〜約１０００Ｗであってもよく、または約１０〜５００Ｗ、１０〜２００Ｗ、１０〜１００Ｗ、１０〜５０Ｗ、５０〜１０００Ｗ、５０〜１００Ｗ、１００〜１０００Ｗ、２００〜１０００Ｗ、５００〜１０００Ｗ、１０００〜５０００Ｗ、１０００〜４０００Ｗ、２００〜５０００Ｗ、１００〜５００Ｗ、３００〜７００Ｗ、または５００〜８００Ｗであってもよく、例えば、約１０Ｗ、２０Ｗ、３０Ｗ、４０Ｗ、５０Ｗ、６０Ｗ、７０Ｗ、８０Ｗ、９０Ｗ、１００Ｗ、１５０Ｗ、２００Ｗ、２５０Ｗ、３００Ｗ、３５０Ｗ、４００Ｗ、４５０Ｗ、５００Ｗ、６００Ｗ、７００Ｗ、８００Ｗ、９００Ｗ、１０００Ｗ、１５００Ｗ、２０００Ｗ、２５００Ｗ、３０００Ｗ、３５００Ｗ、４０００Ｗ、４５００Ｗ、または５０００Ｗであってもよい。超音波処理の周波数は、約２ｋＨｚより高くてもよく、または約５ｋＨｚ、１０ｋＨｚ、２０ｋＨｚ、５０ｋＨｚ、１００ｋＨｚ、１５０ｋＨｚ、または２００ｋＨｚより高くてもよく、または約２ｋＨｚ〜約２００ｋＨｚであってもよく、または約２ｋＨｚ〜１００ｋＨｚ、２〜５０ｋＨｚ、２〜２０ｋＨｚ、２〜１０ｋＨｚ、１０〜２００ｋＨｚ、２０〜２００ｋＨｚ、５０〜２００ｋＨｚ、１００〜２００ｋＨｚ、１０〜１００ｋＨｚ、５０〜１００ｋＨｚ、または１０〜５０ｋＨｚであってもよく、例えば、約２ｋＨｚ、３ｋＨｚ、４ｋＨｚ、５ｋＨｚ、６ｋＨｚ、７ｋＨｚ、８ｋＨｚ、９ｋＨｚ、１０ｋＨｚ、１５ｋＨｚ、２０ｋＨｚ、２５ｋＨｚ、３０ｋＨｚ、３５ｋＨｚ、４０ｋＨｚ、４５ｋＨｚ、５０ｋＨｚ、６０ｋＨｚ、７０ｋＨｚ、８０ｋＨｚ、９０ｋＨｚ、１００ｋＨｚ、１２０ｋＨｚ、１４０ｋＨｚ、１６０ｋＨｚ、１８０ｋＨｚ、または２００ｋＨｚであってもよい。好適な超音波処理の条件は、例えば、出力約５０〜１００Ｗ、周波数約１０〜５０ｋＨｚであり得る。超音波処理は、所望の程度の剥離を達成するのに十分な時間継続してもよい。好適な時間は、例えば、少なくとも約０．５分であってもよく、または、少なくとも約１分、２分、５分、１０分、１５分、２０分、３０分、４０分、５０分、または６０分であってもよく、または約０．５分〜約６０分であってもよく、または約０．５〜３０分、０．５〜１０分、０．５〜２分、０．５〜１分、１〜６０分、２〜６０分、５〜６０分、１０〜６０分、３０〜６０分、１〜３０分、１〜１０分、１〜５分、５〜３０分、１０〜３０分、１０〜２０分、または５〜１５分であってもよく、例えば、約０．５分、１分、２分、３分、４分、５分、１０分、１５分、２０分、２５分、３０分、３５分、４０分、４５分、５０分、５５分、または６０分であってもよい。超音波処理の時間は、約３０分未満であってもよく、または約２５分、２０分、または１５分未満であってもよい。場合によっては、超音波処理自体によって分散系を調製するのに必要な撹拌を起こし、別途撹拌を行わなくてもよい。
【０１１７】
反応性アミン基は、他の何らかの官能基と反応して他の分子と結合可能なアミン基であり得る。これらは、１級アミンであってもよく、２級アミンであってもよい。例えば、反応性アミンを非水性媒体として用い、該媒体にグラフェンが分散している分散系を製造してもよい。次いでこの分散系を用いて、グラフェンが充填されたポリウレタン、エポキシ樹脂、ポリアミド、ポリイミド、または他の好適なポリマー系を製造してもよい。そこで、具体的な例としては、１分子中に少なくとも２つのアミン基を含む非水性媒体に薄片が分散している分散系を本明細書に記載の方法によって調製し、得られた分散系を１分子中に少なくとも２つのアミン反応性基（すなわち、上記アミン基と反応可能な基）を含む試薬と混ぜ合わせ、非水性媒体を試薬と反応させて、非水性媒体と試薬との反応生成物に分散している薄片を含むポリマー複合材料を形成することが挙げられる。上述したアミン反応性基は、例えば、エポキシ基（エポキシ樹脂を作製するため）、イソシアネート基（ポリウレタンを作製するため）、環状無水物（ポリイミドを作製するため）、酸または酸ハロゲン化物（ポリアミドを作製するため）などであってもよい。
【０１１８】
上記の例は、他の薄片（本明細書の他の箇所に記載されたものなど）およびジアミン以外の反応性媒体にまで拡張され得ることが理解されるであろう。すなわち、より広義には、１分子中に少なくとも２つの反応性官能基を有する媒体を用いて薄片の分散系を作製してもよく、その媒体を１分子中に少なくとも２つの相補的な反応性官能基を有する試薬と反応させて複合材料を形成してもよい。この場合、相補的な反応性官能基は、媒体の反応性官能基と反応（例えば縮合）可能な基である。
【実施例】
【０１１９】
実施例１：水系トラクション駆動流体
ＷＯ２０１３／０１０２１１に記載されている方法を用いて、グラファイトからグラフェンを剥離した。平均粒径約２ｍｍのフレーク状グラファイト２０ｇを水１Ｌに加え、濃度を２％ｗ／ｗとした。この懸濁液に、固体のＰｌｕｒｏｎｉｃ（登録商標）Ｆ１０８を１ｇ加えた。Ｐｌｕｒｏｎｉｃ（登録商標）Ｆ１０８は、概ね式（エチレンオキシド）130（プロピレンオキシド）50（エチレンオキシド）130で表わされるポリ（エチレングリコール）‐ブロック‐ポリ（プロピレングリコール）‐ブロック‐ポリ（エチレングリコール）（ＣＡＳ番号９００３‐１１‐６）である。得られた混合懸濁液に対し、超音波処理器Ｑｓｏｎｉｃａ（登録商標）Ｑ７００を固体ソニトロード（ｓｏｎｉｔｒｏｄｅ）プローブとともに用いて、出力１６０Ｗで超音波処理を継続的に行った。処理中、冷却再循環装置を用いて、懸濁液槽を温度２５℃に保持した。超音波処理開始から１０分後、Ｐｌｕｒｏｎｉｃ（登録商標）Ｆ１０８の濃度１０％ｗ／ｗの水溶液を１００ｍＬ／時間の割合で懸濁液に滴下した。１０時間後に超音波処理を停止して、次いで８０℃で加熱することによって懸濁液の量を５００ｍＬ（４分の１）まで減らした。量を減らした後、懸濁液を冷却して遠心分離管に移し入れた。３０００ｒｐｍで１５分間遠心分離することで、大きな、剥離粒子ではない粒子を沈殿させた。その後、上澄み液を回収した。これにより、グラファイトが高程度に剥離され、薄い膜の付いたグラフェンが濃度１．０５％ｗ／ｗで得られた。この方法はグラフェンを製造するために用いたが、原理上、あらゆるグラフェン状材料が、出発材料として使用可能であり、さらに分散剤を用いる後工程の表面処理の対象となり得る。グラフェン懸濁液を濃度０．５％ｗ／ｗに希釈し、次いで、発泡を抑えるために、Ｄｏｗ  Ｃｏｒｎｉｎｇ  Ａｎｔｉｆｏａｍ  Ｂ  Ｅｍｕｌｓｉｏｎを０．１％ｗ／ｗの濃度で加えたが、このことは、使用時に、駆動素子および被駆動素子に関連するせん断力によって著しい空気の混入が生じて潤滑が不均一になる可能性のあるトラクション流体にとって必要な条件である。
【０１２０】
この流体のトラクション係数を求めるために、回転ディスクに回転ボールが配置された小型トラクションマシン（図３および関連する図面の簡単な説明を参照）において、この流体を潤滑剤として使用した。変化させたパラメータには、負荷（接触圧力）、速度、および流体の温度がある。典型的には、トラクション係数を、図４に示すような広い滑り／転がり比（ＳＲＲ）範囲にわたって求めた。キャリア流体中のグラフェン濃度が０．５％ｗ／ｗで負荷が５Ｎである場合について、速度のトラクション係数に対する影響を図５に示す。また、速度を一定にして、印加負荷の影響を調べた。そのデータを図６に示す。また、図７に示すように、速度および負荷を一定にし、温度を変化させて流体のトラクション係数を測定した。
【０１２１】
実施例２：グラフェンが入ったテトラエチレングリコールキャリア
ＷＯ２０１３／０１０２１１に記載されている方法を用いて、グラファイトからグラフェンを剥離した。平均粒径約２ｍｍのフレーク状グラファイト２０ｇを水１Ｌに加え、濃度を２％ｗ／ｗとした。この懸濁液に、固体のＰｌｕｒｏｎｉｃ（登録商標）Ｆ１０８を１ｇ加えた。得られた混合懸濁液に対し、超音波処理器Ｑｓｏｎｉｃａ（登録商標）Ｑ７００を固体ソニトロード（ｓｏｎｉｔｒｏｄｅ）プローブとともに用いて、出力１６０Ｗで超音波処理を継続的に行った。処理中、冷却再循環装置を用いて、懸濁液槽を温度２５℃に保持した。超音波処理開始から１０分後、Ｐｌｕｒｏｎｉｃ（登録商標）Ｆ１０８の濃度１０％ｗ／ｗの水溶液を１００ｍＬ／時間の割合で懸濁液に滴下した。１０時間後に超音波処理を停止して、次いで８０℃で加熱することによって懸濁液の量を５００ｍＬ（４分の１）まで減らした。量を減らした後、懸濁液を冷却して遠心分離管に移し入れた。３０００ｒｐｍで１５分間遠心分離することで、大きな、剥離粒子ではない粒子を沈殿させた。その後、上澄み液を回収した。次いで、凍結乾燥機内で、懸濁液を−６０℃で凍結させてから圧力５Ｐａで乾燥させて水を全て除去した。その後、界面活性剤であるＰｌｕｒｏｎｉｃ（登録商標）Ｆ１０８が付着したグラフェン粉末（グラフェンが０．１ｇ、Ｆ１０８が０．９ｇ）をテトラエチレングリコール２０ｇ中に、出力７０Ｗ、５分間の超音波処理を行って分散させた。これにより、テトラエチレングリコールにグラフェンが均一に分散している濃度０．５％ｗ／ｗの懸濁液が得られた。
【０１２２】
この流体のトラクション係数を求めるために、回転ディスクに回転ボールが配置された小型トラクションマシンにおいて、この流体を潤滑剤として使用した。図８は、負荷（接触圧力）４５Ｎ、速度２００ｍｍ／ｓで、広いＳＲＲ範囲にわたって測定したトラクション係数の例を示しており、配合物がトルクを効果的に伝達できることを証明している。
【０１２３】
実施例３：グラフェンが入ったプロピレングリコール／テトラエチレングリコールキャリア流体
ＷＯ２０１３／０１０２１１に記載されている方法を用いて、グラファイトからグラフェンを剥離した。平均粒径約２ｍｍのフレーク状グラファイト２０ｇを水１Ｌに加え、濃度を２％ｗ／ｗとした。この懸濁液に、固体のＰｌｕｒｏｎｉｃ（登録商標）Ｆ１０８を１ｇ加えた。得られた混合懸濁液に対し、超音波処理器Ｑｓｏｎｉｃａ（登録商標）Ｑ７００を固体ソニトロード（ｓｏｎｉｔｒｏｄｅ）プローブとともに用いて、出力１６０Ｗで超音波処理を継続的に行った。処理中、冷却再循環装置を用いて、懸濁液槽を温度２５℃に保持した。超音波処理開始から１０分後、Ｐｌｕｒｏｎｉｃ（登録商標）Ｆ１０８の濃度１０％ｗ／ｗの水溶液を１００ｍＬ／時間の割合で懸濁液に滴下した。１０時間後に超音波処理を停止して、次いで８０℃で加熱することによって懸濁液の量を５００ｍＬ（４分の１）まで減らした。量を減らした後、懸濁液を冷却して遠心分離管に移し入れた。３０００ｒｐｍで１５分間遠心分離することで、大きな、剥離粒子ではない粒子を沈殿させた。その後、上澄み液を回収した。次いで、凍結乾燥機内で、懸濁液を−６０℃で凍結させてから圧力５Ｐａで乾燥させて水を全て除去した。その後、界面活性剤であるＰｌｕｒｏｎｉｃ（登録商標）Ｆ１０８が付着したグラフェン粉末を、テトラエチレングリコール−プロピレングリコール混合物（質量比８５：１５）中に、出力７０Ｗ、５分間の超音波処理を行って分散させた。グラフェンの最終濃度は、０．５％ｗ／ｗであった。
【０１２４】
この流体のトラクション係数を求めるために、回転ディスクに回転ボールが配置された小型トラクションマシンにおいて、この流体を潤滑剤として使用した。変化させたパラメータには、負荷（接触圧力）、滑り／転がり比、速度、および流体の温度がある。図９に示すように、速度および負荷（接触圧力）を一定にし、温度を変化させて流体のトラクション係数を測定した。
【０１２５】
実施例４：ＭｏＳ2が入った水‐エチレングリコールキャリア流体
ＷＯ２０１３／０１０２１１に記載されている方法を用いて、ＭｏＳ2原末から、単層のＭｏＳ2および少数の層からなるＭｏＳ2を剥離した。平均粒径約２００μｍのＭｏＳ2２０ｇを水１Ｌに加え、濃度を２％ｗ／ｗとした。この懸濁液に、固体のＰｌｕｒｏｎｉｃ（登録商標）Ｆ１０８を１ｇ加えた。得られた混合懸濁液に対し、超音波処理器Ｑｓｏｎｉｃａ（登録商標）Ｑ７００を固体ソニトロード（ｓｏｎｉｔｒｏｄｅ）プローブとともに用いて、出力１６０Ｗで超音波処理を継続的に行った。処理中、冷却再循環装置を用いて、懸濁液槽を温度２５℃に保持した。超音波処理開始から１０分後、Ｐｌｕｒｏｎｉｃ（登録商標）Ｆ１０８の濃度１０％ｗ／ｗの水溶液を１００ｍＬ／時間の割合で懸濁液に滴下した。１０時間後に超音波処理を停止して、次いで８０℃で加熱することによって懸濁液の量を５００ｍＬ（４分の１）まで減らした。量を減らした後、懸濁液を冷却して遠心分離管に移し入れた。３０００ｒｐｍで１５分間遠心分離することで、大きな、剥離粒子ではない粒子を沈殿させた。その後、上澄み液を回収した。この懸濁液を濃度５ｍｇ／ｍＬ、すなわち０．５％ｗ／ｗまで希釈し、ボルテックススターラーを用いてエチレングリコールと混合して、質量比水：エチレングリコールを９５：５とした。この流体のトラクション係数を求めるために、回転ディスクに回転ボールが配置された小型トラクションマシンにおいて、この流体を潤滑剤として使用した。変化させたパラメータには、負荷（接触圧力）、滑り／転がり比、速度、および流体の温度がある。図１０は、印加負荷１０Ｎ、速度１００ｍｍ／ｓ、温度２５℃で、ＳＲＲ範囲−２００％〜２００％にわたって測定したトラクション係数を示している。
【図１】
2018534412.tif 000003
【図２】
2018534412.tif 000004
【図３】
2018534412.tif 000005
【図４】
2018534412.tif 000006
【図５】
2018534412.tif 000007
【図６】
2018534412.tif 000008
【図７】
2018534412.tif 000009
【図８】
2018534412.tif 000010
【図９】
2018534412.tif 000011
【図１０】
2018534412.tif 000012
【国際調査報告】
2018534412.tif 000013
2018534412.tif 000014
2018534412.tif 000015